(57)【要約】【課題】サーマルヘッドにより、ライン印刷データをブロック毎に印刷する印刷装置に関し、特に、印刷時に生じる印刷音（即ち、剥離音）を低減すると共に、印刷所要期間の長期化を軽減しうる印刷装置を提供する。【解決手段】テープ印刷装置１により対象ライン印刷データ８０を印刷する際に、ＣＰＵ６１は、データ分割処理（Ｓ１６）により、５つのブロック印刷データに分割された第１分割ライン印刷データ９１及び第２分割ライン印刷データ９２を生成する。第１分割ライン印刷データ９１は、各ブロック印刷データの後半部分を変換済非印刷データ８３に変換して生成される。第２分割ライン印刷データ９２は、各ブロック印刷データの前半部分を変換済非印刷データ８３に変換して生成される。ＣＰＵ６１は、各分割ライン印刷データを順次印刷する際に、対象ブロックに対する標準通電期間Ｔを経過する前に、二次対象ブロックに対する通電を開始する。【選択図】図１３
2009073130.tif 000002
【特許請求の範囲】
【請求項１】
複数の発熱素子をライン上に列設して構成され、当該発熱素子への通電により、各発熱素子に対応付けられた単位データからなる１ライン分のライン印刷データに基づいて被記録媒体に印刷を行うサーマルヘッドと、
前記ライン印刷データを複数のブロック印刷データに分割する第１データ分割手段と、
前記第１データ分割手段による前記ライン印刷データの分割態様に対応し、前記発熱素子単位で分割された前記サーマルヘッドのブロックに前記ブロック印刷データを対応付け、前記サーマルヘッドのブロック毎に順次通電する制御手段と、を備える印刷装置において、
前記第１データ分割手段により分割された複数のブロック印刷データからなるライン印刷データに基づいて、各ブロック印刷データを構成する単位データの一部を印刷単位データとし、当該ブロック印刷データを構成する他の単位データを非印刷単位データに変換した分割ライン印刷データを生成する第２データ分割手段と、
前記第２データ分割手段により生成された全ての分割ライン印刷データに、前記ライン印刷データを構成する全単位データが含まれるまで、前記第２データ分割手段による分割ライン印刷データの生成を、前記複数のブロック印刷データ全てに対して実行するデータ分割制御手段と、
前記第２データ分割手段により生成された分割ライン印刷データに基づいて、前記サーマルヘッドのブロック単位で順次通電する際に、現在通電されているサーマルヘッドのブロックにおける通電時間が経過する前に、次順以後のサーマルヘッドのブロックに対する通電を開始する通電制御手段と、
前記第２データ分割手段により生成された全ての分割ライン印刷データに対して、前記通電制御手段に基づくサーマルヘッドへの通電を実行する印刷制御手段と、を備えることを特徴とする印刷装置。
【請求項２】
請求項１記載の印刷装置において、
前記第２データ分割手段は、
前記第１データ分割手段により分割された複数のブロック印刷データからなるライン印刷データに基づいて、各ブロック印刷データの前半部を印刷単位データとして残すと共に、各ブロック印刷データの後半部を非印刷単位データに変換した第１分割ライン印刷データと、各ブロック印刷データの後半部を印刷単位データとして残すと共に、各ブロック印刷データの前半部を非印刷単位データに変換した第２分割ライン印刷データとを生成することを特徴とする印刷装置。
【請求項３】
請求項１記載の印刷装置において、
前記第２データ分割手段は、
前記第１データ分割手段により分割された複数のブロック印刷データからなるライン印刷データに基づいて、各ブロック印刷データを構成する一の印刷単位データに、一の非印刷単位データが隣接するように変換した第１分割ライン印刷データと、前記第１分割ライン印刷データにおける非印刷単位データに相当する部分を印刷単位データとして残すと共に、前記第１分割ライン印刷データにおける印刷単位データに相当する部分を非印刷単位データに変換した第２分割ライン印刷データとを生成することを特徴とする印刷装置。
【請求項４】
請求項１記載の印刷装置において、
前記第２データ分割手段は、
前記第１データ分割手段により分割された複数のブロック印刷データからなるライン印刷データに基づいて、各ブロック印刷データを構成する単位データの内、一の単位データを印刷単位データとして残し、各ブロック印刷データを構成する他の単位データを非印刷単位データに変換した分割ライン印刷データを生成することを特徴とする印刷装置。
【発明の詳細な説明】
【技術分野】
【０００１】
本発明は、複数の発熱素子を列設したサーマルヘッドにより、１ライン分のライン印刷データを複数のブロック毎に順次被記録媒体に印刷する印刷装置に関し、特に、印刷によりサーマルヘッドと密着した被記録媒体の搬送に伴い生じる印刷音を低減すると共に、印刷に要する印刷所要期間の長期化を軽減しうる印刷装置に関する。
【背景技術】
【０００２】
従来、サーマルヘッドに対して通電することにより、サーマルヘッドの発熱素子を発熱させ、１ライン分の印刷データを順次、被記録媒体に対して感熱印刷を行う印刷装置が知られている。そして、これらの印刷装置においては、印刷時におけるピーク電流を低減させるために、１ライン分の印刷データを複数のブロックに分割し、分割されたブロック毎に順次印刷を行うように構成されたものが知られている。
【０００３】
上述したような印刷装置として、例えば、特許文献１、特許文献２に記載された印刷装置が知られている。特許文献１記載の印刷装置は、印刷データを分割して構成される各ブロックの印字率を求め、当該印字率に応じて、各ブロックのサーマルヘッドに対する転送タイミングを制御する。又、特許文献２記載の印刷装置は、印字品質を確保しつつ、あらゆる電源電圧での使用を可能とするため、ヘッド電圧の低下に応じたストローブ信号と、印字データに基づいて、ブロック毎に順番に印字動作を実行する。
【特許文献１】特許第２８３３４２３号明細書
【特許文献２】特許第３６７９２７４号明細書
【発明の開示】
【発明が解決しようとする課題】
【０００４】
ここで、上記のような印刷装置において、サーマルヘッドにより被記録媒体に印刷すると、発熱素子に対する通電直後では、当該サーマルヘッドと被記録媒体が密着する場合がある。この場合、被記録媒体の搬送に伴い、被記録媒体は、サーマルヘッドから剥離される。従って、当該印刷装置は、サーマルヘッドからの被記録媒体の剥離に基づく剥離音を発生させることがある。
【０００５】
具体的に説明すると、例えば、サーマルヘッドとインクリボンを用いて印刷を行う印刷装置の場合、当該印刷装置は、サーマルヘッドの発熱素子を加熱することで、インクリボンに塗布されたインクを溶融し、当該インクを被記録媒体に転写する。これにより、当該印刷装置は、被記録媒体に印刷を施すことができる。ここで、被記録媒体に対するインクの転写時において、被記録媒体は、溶融されたインクを介して、サーマルヘッドに密着した状態になり得る。
【０００６】
被記録媒体に対してインクが転写された後、当該被記録媒体は搬送されるので、被記録媒体は、サーマルヘッドから剥離されることになる。この場合において、被記録媒体を搬送する際に溶融されたインクが乾燥していると、サーマルヘッドから被記録媒体が剥離される際に、密着部分（即ち、印刷が施された部分）が、強引に引き剥がされる。従って、剥離音が、サーマルヘッドからの被記録媒体の剥離によって生じてしまう。特に、加熱される発熱素子が密集している範囲（例えば、所謂、ベタ印刷部分）が広ければ広い程、当該剥離音はより大きな音となり、ユーザの印刷装置に対する印象を低下させる要因となってしまう。
【０００７】
この点、特許文献１及び特許文献２記載の印刷装置では、サーマルヘッドに対してブロック単位で通電することにより、印刷動作を実行するが、あくまでもブロック単位での通電のタイミングや通電期間を変更するのみである。つまり、或るブロックによる印刷が所謂ベタ印刷である場合、特許文献１及び特許文献２記載の印刷装置であっても、上述した従来の印刷装置と同様に、当該ブロックによって印刷された部分において被記録媒体とサーマルヘッドの密着を発生させてしまう。即ち、特許文献１、特許文献２記載の印刷装置であっても、依然として、剥離音の発生という問題点を有している。
【０００８】
又、このような印刷装置において、ユーザは、所望の印刷が迅速に完了することを強く望むものである。従って、上述の剥離音の発生という問題点を解決する上で、印刷に要する印刷所要期間が甚だしく長期化することは、重要な問題点となってしまう。
【０００９】
本発明は、前記従来における問題点を解消するためになされたものであり、サーマルヘッドにより、ライン印刷データをブロック毎に印刷する印刷装置に関し、特に、印刷時に生じる印刷音（即ち、剥離音）を低減すると共に、印刷所要期間の長期化を軽減しうる印刷装置を提供することを目的とする。
【課題を解決するための手段】
【００１０】
前記課題を解決するために成された請求項１に係る印刷装置は、複数の発熱素子をライン上に列設して構成され、当該発熱素子への通電により、各発熱素子に対応付けられた単位データからなる１ライン分のライン印刷データに基づいて被記録媒体に印刷を行うサーマルヘッドと、前記ライン印刷データを複数のブロック印刷データに分割する第１データ分割手段と、前記第１データ分割手段による前記ライン印刷データの分割態様に対応し、前記発熱素子単位で分割された前記サーマルヘッドのブロックに前記ブロック印刷データを対応付け、前記サーマルヘッドのブロック毎に順次通電する制御手段と、を備える印刷装置において、前記第１データ分割手段により分割された複数のブロック印刷データからなるライン印刷データに基づいて、各ブロック印刷データを構成する単位データの一部を印刷単位データとし、当該ブロック印刷データを構成する他の単位データを非印刷単位データに変換した分割ライン印刷データを生成する第２データ分割手段と、前記第２データ分割手段により生成された全ての分割ライン印刷データに、前記ライン印刷データを構成する全単位データが含まれるまで、前記第２データ分割手段による分割ライン印刷データの生成を、前記複数のブロック印刷データ全てに対して実行するデータ分割制御手段と、前記第２データ分割手段により生成された分割ライン印刷データに基づいて、前記サーマルヘッドのブロック単位で順次通電する際に、現在通電されているサーマルヘッドのブロックにおける通電時間が経過する前に、次順以後のサーマルヘッドのブロックに対する通電を開始する通電制御手段と、前記第２データ分割手段により生成された全ての分割ライン印刷データに対して、前記通電制御手段に基づくサーマルヘッドへの通電を実行する印刷制御手段と、を備えることを特徴とする。
【００１１】
そして、請求項２記載の印刷装置は、請求項１記載の印刷装置において、前記第２データ分割手段は、前記第１データ分割手段により分割された複数のブロック印刷データからなるライン印刷データに基づいて、各ブロック印刷データの前半部を印刷単位データとして残すと共に、各ブロック印刷データの後半部を非印刷単位データに変換した第１分割ライン印刷データと、各ブロック印刷データの後半部を印刷単位データとして残すと共に、各ブロック印刷データの前半部を非印刷単位データに変換した第２分割ライン印刷データとを生成することを特徴とする。
【００１２】
又、請求項３記載の印刷装置は、請求項１記載の印刷装置において、前記第２データ分割手段は、前記第１データ分割手段により分割された複数のブロック印刷データからなるライン印刷データに基づいて、各ブロック印刷データを構成する一の印刷単位データに、一の非印刷単位データが隣接するように変換した第１分割ライン印刷データと、前記第１分割ライン印刷データにおける非印刷単位データに相当する部分を印刷単位データとして残すと共に、前記第１分割ライン印刷データにおける印刷単位データに相当する部分を非印刷単位データに変換した第２分割ライン印刷データとを生成することを特徴とする。
【００１３】
そして、請求項４記載の印刷装置は、請求項１記載の印刷装置において、前記第２データ分割手段は、前記第１データ分割手段により分割された複数のブロック印刷データからなるライン印刷データに基づいて、各ブロック印刷データを構成する単位データの内、一の単位データを印刷単位データとして残し、各ブロック印刷データを構成する他の単位データを非印刷単位データに変換した分割ライン印刷データを生成することを特徴とする。
【発明の効果】
【００１４】
請求項１記載の印刷装置は、サーマルヘッドにより、ライン印刷データを被記録媒体に印刷する際に、制御手段により、第１データ分割手段で複数のブロック印刷データを順次被記録媒体に印刷する。即ち、当該印刷装置によれば、サーマルヘッドにより、ライン印刷データをブロック毎に印刷することで、印刷時におけるピーク電流を低減しうる。
そして、当該印刷装置は、第２データ分割手段により、各ブロック印刷データを構成する単位データの一部を印刷単位データとし、当該ブロック印刷データを構成する他の単位データを非印刷単位データに変換した分割ライン印刷データを生成し、全ての分割ライン印刷データを構成するブロック印刷データ単位で順次印刷することで、当該ライン印刷データに基づく印刷を被記録媒体に印刷する。つまり、当該印刷装置は、ブロック印刷データを構成する単位データの一部のみが印刷単位データとすることができるので、印刷により密着する範囲をより小さくしうる。従って、当該印刷装置は、印刷時に生じる印刷音（即ち、剥離音）を低減しうる。
【００１５】
又、請求項１に係る印刷装置は、データ分割制御手段により、ライン印刷データを構成する全単位データが全ての分割ライン印刷データに含まれるまで、第２データ分割手段による分割ライン印刷データの生成を前記複数のブロック印刷データ全てに対して実行する。そして、当該印刷装置は、印刷制御手段、通電制御手段により、全ての分割ライン印刷データを順次、ブロック印刷データ毎に印刷するので、印刷結果がライン印刷データとほぼ同じになる。
そして、当該印刷装置は、前記第２データ分割手段により生成された分割ライン印刷データに基づいて、前記サーマルヘッドのブロック単位で順次通電する際に、通電制御手段により、現在通電されているサーマルヘッドのブロックにおける通電時間が経過する前に、次順以後のサーマルヘッドのブロックに対する通電を開始する。従って、当該印刷装置によれば、分割ライン印刷データを生成した場合であっても、印刷所要期間の長期化を軽減しうる。
【００１６】
請求項２記載の印刷装置によれば、前記第２データ分割手段は、ライン印刷データに基づいて、第１分割ライン印刷データと、第２分割ライン印刷データを生成する。第１印刷ラインデータは、各ブロック印刷データの前半部を印刷単位データとして残すと共に、各ブロック印刷データの後半部を非印刷単位データに変換したデータである。そして、第２印刷ラインデータは、各ブロック印刷データの後半部を印刷単位データとして残すと共に、各ブロック印刷データの前半部を非印刷単位データに変換したデータである。従って、当該印刷装置によれば、印刷により密着する範囲は、ブロック印刷データの前半部又は後半部に相当する範囲となる。この結果、印刷により密着する範囲を小さくすることができるので、当該印刷装置は、印刷時に生じる印刷音（即ち、剥離音）を低減しうる。
又、当該印刷装置によれば、第１分割ライン印刷データと、第２分割ライン印刷データについて、各分割ライン印刷データを構成する全ブロック印刷データを順次印刷するので、ライン印刷データとほぼ同じ印刷結果となる。
【００１７】
請求項３記載の印刷装置によれば、第２データ分割手段は、第１分割ライン印刷データと、第２分割ライン印刷データとを生成する。第１分割ライン印刷データは、各ブロック印刷データを構成する一の印刷単位データに、一の非印刷単位データが隣接するように変換したデータである。そして、第２分割ライン印刷データは、第１分割ラインデータにおける非印刷単位データに相当する部分を印刷単位データとして残すと共に、第１分割ラインデータにおける印刷単位データに相当する部分を非印刷単位データに変換したデータである。従って、当該印刷装置によれば、印刷により密着する範囲は、ブロック印刷データを構成する印刷単位データに相当する範囲（即ち、一の発熱素子により加熱される範囲）となる。この結果、印刷により密着する範囲を、当該印刷装置における印刷最小単位まで、小さくすることができるので、当該印刷装置は、印刷時に生じる印刷音（即ち、剥離音）を更に低減しうる。
又、当該印刷装置によれば、第１分割ライン印刷データと、第２分割ライン印刷データについて、各分割ライン印刷データを構成する全ブロック印刷データを順次印刷するので、ライン印刷データとほぼ同じ印刷結果となる。
【００１８】
請求項４記載の印刷装置によれば、第２データ分割手段は、各ブロック印刷データを構成する単位データの内、一の単位データを印刷単位データとして残し、各ブロック印刷データを構成する他の単位データを非印刷単位データに変換した分割ライン印刷データを生成する。即ち、この場合も、当該印刷装置における印刷最小単位まで、小さくすることができるので、当該印刷装置は、印刷時に生じる印刷音（即ち、剥離音）を低減しうる。
又、分割ライン印刷データにおいて、印刷単位データは、当該ブロック印刷データにおける他の印刷単位データの分（即ち、分割ライン印刷データにおける非印刷単位データの分）、他の印刷単位データと離間している。従って、全ての分割ライン印刷データを印刷した場合（即ち、ライン印刷データに相当する印刷を行った場合）であっても、印刷に伴い密着する範囲（一の発熱素子に対応する範囲）は、相互に離間した状態となる。これにより、当該印刷装置は、印刷時に生じる印刷音（即ち、剥離音）を更に低減しうる。
【００１９】
尚、請求項４に係る印刷装置においても、上記データ分割制御手段により、分割ライン印刷データは、ライン印刷データを構成する全単位データが全ての分割ライン印刷データに含まれるまで生成される。そして、請求項４に係る印刷装置によれば、上記印刷制御手段、通電制御手段により、全ての分割ライン印刷データを順次、ブロック印刷データ毎に印刷するので、印刷結果はライン印刷データとほぼ同じになる。
【発明を実施するための最良の形態】
【００２０】
（第１実施形態）
以下、本発明に係る印刷装置をテープ印刷装置１に具体化した第１実施形態について、図面を参照しつつ詳細に説明する。
先ず、本実施例に係るテープ印刷装置の概略構成について、図１〜図３を参照しつつ説明する。図１は、第１実施形態に係るテープ印刷装置１の外観斜視図である。
【００２１】
図１に示すように、本実施例に係るテープ印刷装置１は、その上面にキーボード３、液晶ディスプレイ６を有している。液晶ディスプレイ６は、文字等のキャラクタを複数行に渡って表示する表示装置であり、キーボード３によって作成される印刷データ等を表示しうる。
キーボード３は、文字入力キー３Ａ、印刷キー３Ｂ、カーソルキー３Ｃ、リターンキー３Ｒ等の複数種類の入力キーを備えている。文字入力キー３Ａは、文書データからなるテキストを作成する際の文字入力に用いられる。印刷キー３Ｂは、作成されたテキスト等からなる印刷データの印刷実行を指令する際に用いられる。そして、カーソルキー３Ｃは、液晶ディスプレイ６上に表示されるカーソルを、上下左右に移動する際に用いられる。また、リターンキー３Ｒは、改行指令や各種処理の実行、選択決定を指令する際に用いられる。
【００２２】
そして、図２に示すように、テープ印刷装置１は、その内部にテープ収納カセット３０を装着可能に構成されている。更に、テープ印刷装置１の内部には、テープ駆動印刷機構１０及びカッター１７を含むテープ切断機構が配設されている（図２参照）。テープ印刷装置１は、テープ駆動印刷機構１０により、テープ収納カセット３０から引き出されたテープに対して、所望の印刷データに基づく印刷を施すことができる。そして、テープ印刷装置１は、テープ切断機構のカッター１７により、印刷されたテープを切断することができる。切断されたテープは、テープ印刷装置１の左側側面に形成された排出口５から排出される。
【００２３】
又、テープ印刷装置１の右側面部には、接続インターフェイス７１が配設されている。図５に示すように、この接続インターフェイス７１は、外部機器７８（例えば、パーソナルコンピュータ等）と有線または無線接続をする際に用いられる。従って、テープ印刷装置１は、外部機器７８から送信された印刷データを印刷することも可能である。
【００２４】
そして、テープ印刷装置１内部には、カセット収納部フレーム１１が配設されている。図２に示すように、このカセット収納部フレーム１１には、テープ収納カセット３０が着脱自在に装着される。
テープ収納カセット３０は、その内部に、テープスプール３２、リボン供給スプール３４、巻取スプール３５、基材供給スプール３７、接合ローラ３９を備えており、夫々回転自在に軸支されている。テープスプール３２には、表層テープ３１が巻回されている。層テープ３１は、ＰＥＴ（ポリエチレンテレフタレート）フィルム等からなる透明なテープである。そして、リボン供給スプール３４には、インクリボン３３が巻回されている。このインクリボン３３には、インク加熱により溶融或いは昇華するインクが塗布されている。巻取スプール３５は、印刷に使用されたインクリボン３３を巻き取る。そして、基材供給スプール３７には、二重テープ３６が巻回されている。この二重テープ３６は、表層テープ３１と同一幅で両面に接着剤層を有する両面接着テープの片面に対して、剥離テープを貼り合わせて構成されている。又、当該二重テープ３６は、剥離テープが外側に位置するように、基材供給スプール３７に巻回されている。そして、接合ローラ３９は、二重テープ３６と表層テープ３１とを重ねて接合させる際に用いられる。
【００２５】
図２、図３に示すように、カセット収納部フレーム１１には、アーム２０が、軸２０ａを中心として揺動可能に配設されている。アーム２０の先端には、プラテンローラ２１、搬送ローラ２２が回動可能に軸支されている。プラテンローラ２１、搬送ローラ２２は、何れもゴム等の可撓性部材を表面に有している。
アーム２０が最も時計回りに揺動すると、プラテンローラ２１は、表層テープ３１及びインクリボン３３を、後述するサーマルヘッド１３に対して圧接する。又、この時、搬送ローラ２２は、表層テープ３１及び二重テープ３６を、接合ローラ３９に対して圧接する。
【００２６】
又、カセット収納部フレーム１１には、プレート１２が立設されている（図２、図３参照）。このプレート１２のプラテンローラ２１側側面には、サーマルヘッド１３が配設されている。図４に示すように、サーマルヘッド１３は、表層テープ３１及び二重テープ３６の幅方向と同方向に、複数（例えば、２０個）の発熱素子１３ａを１列に列設することで構成される。サーマルヘッド１３を構成する各発熱素子１３ａには、夫々、「１」〜「２０」のストローブ番号が対応付けられている（図１３等参照）。
テープ収納カセット３０が所定位置に装着されると、プレート１２は、テープ収納カセット３０の凹部１４に嵌め込まれる。
【００２７】
図３に示すように、カセット収納部フレーム１１には、リボン巻取ローラ１５、接合駆動用ローラ１６が立設されている。テープ収納カセット３０が所定位置に装着されると、リボン巻取ローラ１５は、テープ収納カセット３０の巻取スプール３５内に挿入される。同様に、接合駆動用ローラ１６は、テープ収納カセット３０の接合ローラ３９内に挿入される。
【００２８】
そして、カセット収納部フレーム１１には、テープ搬送モータ２が配設されている。テープ搬送モータ２による駆動力は、カセット収納部フレーム１１に沿って配設されたギア列４５を介して、リボン巻取ローラ１５、接合駆動用ローラ１６、プラテンローラ２１及び搬送ローラ２２に夫々伝達される。
従って、テープ搬送モータ２に対する電力供給により、テープ搬送モータ２の出力軸の回転が開始されると、巻取スプール３５、接合ローラ３９、プラテンローラ２１、搬送ローラ２２も、連動して回転を開始する。これにより、テープ収納カセット３０内の表層テープ３１、インクリボン３３、二重テープ３６は、テープスプール３２、リボン供給スプール３４、基材供給スプール３７から、巻き解かれ、下流方向（排出口５、巻取スプール３５方向）へと搬送される。
【００２９】
そうすると、表層テープ３１及びインクリボン３３は、互いに重ね合わされてからプラテンローラ２１とサーマルヘッド１３との間を通過する。従って、当該テープ印刷装置１において、表層テープ３１、インクリボン３３は、プラテンローラ２１とサーマルヘッド１３とによって挟まれた状態で搬送される。この時、サーマルヘッド１３に配列された多数の発熱素子１３ａは、制御部６０（図５参照）により、印刷データ及び後述する印刷制御プログラムにより、選択的かつ間欠的に通電される。
【００３０】
ここで、各発熱素子１３ａは、通電により発熱し、インクリボン３３に塗布されているインクを溶融或いは昇華させるので、インクリボン３３のインクは、表層テープ３１にドット単位で転写される。この結果、表層テープ３１には、印刷データに基づくユーザ所望のドット画像が鏡像で形成される。
尚、本発明に係るテープ印刷装置１は、この時点における印刷音（即ち、上述した剥離音）を低減することを目的としている。
【００３１】
その後、インクリボン３３は、サーマルヘッド１３を通過すると、リボン巻取ローラ１５によって巻き取られる。一方、表層テープ３１は、二重テープ３６と重ねられ、搬送ローラ２２と接合ローラ３９との間を通過する。この時、表層テープ３１と二重テープ３６は、搬送ローラ２２、接合ローラ３９により圧接され、積層テープ３８となる。ここで、当該積層テープ３８は、ドット印刷済みの表層テープ３１の印刷面側が二重テープ３６と強固に重ね合わされる。従って、ユーザは、表層テープ３１の印刷面の裏面側（即ち、積層テープ３８の表面側）から印刷画像の正像を視認可能である。
【００３２】
その後、積層テープ３８は、搬送ローラ２２の更に下流に搬送され、カッター１７を含むテープ切断機構に到達する。テープ切断機構は、カッター１７と、切断用モータ７２（図５参照）により構成されている。そして、カッター１７は、固定刃１７ａと、回動刃１７ｂに備えており、固定刃１７ａに対して回動刃１７ｂを回動させることで切断対象物を剪断する鋏形式のカッターである。そして、回動刃１７ｂは、切断用モータ７２（図５参照）によって支点を中心に往復揺動可能に配設されている。従って、切断用モータ７２の駆動により、積層テープ３８は、固定刃１７ａ、回動刃１７ｂに剪断される。
切断された積層テープ３８は、排出口５を介して、テープ印刷装置１の外部へ排出される。そして、当該積層テープ３８は、二重テープ３６の剥離テープを剥がし、接着剤層を露出させれば、任意の場所に貼り付けることが可能な粘着ラベルとして使用可能である。
【００３３】
次に、テープ印刷装置１の制御構成について、図面を参照しつつ詳細に説明する。図５は、テープ印刷装置１の制御系を示すブロック図である。
テープ印刷装置１内には、制御基板（図示せず）が配設されており、この制御基板上には、制御部６０、タイマ６７、ヘッド駆動回路６８、切断用モータ駆動回路６９、搬送モータ駆動回路７０が配設されている。
【００３４】
そして、制御部６０は、ＣＰＵ６１、ＣＧ−ＲＯＭ６２、ＥＥＰＲＯＭ６３、ＲＯＭ６４、ＲＡＭ６６により構成されている。又、当該制御部６０は、タイマ６７、ヘッド駆動回路６８、切断用モータ駆動回路６９、搬送モータ駆動回路７０と接続されている。更に、制御部６０は、液晶ディスプレイ６、カセットセンサ７、キーボード３、接続インターフェイス７１にも接続されている。
ＣＰＵ６１は、テープ印刷装置１における各種制御の中枢を担う中央演算処理装置である。従って、このＣＰＵ６１は、キーボード３等からの入力信号及び後述する印刷処理プログラムを含む各種制御プログラムに基づいて、液晶ディスプレイ６等の各周辺装置を制御する。
【００３５】
ＣＧ−ＲＯＭ６２は、印刷される文字や記号の画像データをコードデータと対応させてドットパターンで記憶するキャラクタージェネレータ用メモリである。又、ＥＥＰＲＯＭ６３は、記憶内容の書込・消去ができる不揮発性メモリであり、当該テープ印刷装置１におけるユーザ設定等を示すデータを格納している。
そして、ＲＯＭ６４には、テープ印刷装置１における各種制御プログラムやデータが格納されている。従って、後述する印刷処理プログラムは、このＲＯＭ６４に格納されている。又、ＲＡＭ６６は、ＣＰＵ６１での演算結果等を一時的に格納する記憶装置である。このＲＡＭ６６には、キーボード３の入力により生成された印刷データや、外部機器７８から接続インターフェイス７１を介して取り込まれた印刷データも格納される。
そして、タイマ６７は、テープ印刷装置１の制御を実行する際に所定期間の経過を計時する計時装置である。具体的には、タイマ６７は、後述する印刷処理プログラムにおいて、サーマルヘッド１３の発熱素子１３ａに対する通電期間等の開始・終了を判断する際に参照される。
【００３６】
ヘッド駆動回路６８は、ＣＰＵ６１からの制御信号に基づいて、後述する印刷処理プログラムに基づいて、サーマルヘッド１３に駆動信号を供給し、サーマルヘッド１３の駆動態様を制御する回路である。この時、ヘッド駆動回路６８は、発熱素子１３ａ毎に対応付けられたストローブ番号（図１３等参照）に基づいて、各発熱素子１３ａの通電の有無を制御することで、サーマルヘッド１３全体の発熱態様を制御する。そして、切断用モータ駆動回路６９は、ＣＰＵ６１からの制御信号に基づいて切断用モータ７２に駆動信号を供給し、切断用モータ７２の駆動制御を行う回路である。又、搬送モータ駆動回路７０は、ＣＰＵ６１からの制御信号に基づいてテープ搬送モータ２に駆動信号を供給し、テープ搬送モータ２の駆動制御を行う制御回路である。
【００３７】
次に、テープ印刷装置１におけるメイン処理プログラムについて、図面を参照しつつ詳細に説明する。図６は、テープ印刷装置１に係るメイン処理プログラムのフローチャートである。
メイン処理プログラムの実行が開始されると、ＣＰＵ６１は、先ず、編集用キーが入力されたか否かを判断する。ここで、編集用キーには、文字入力キー３Ａ、カーソルキー３Ｃ、リターンキー３Ｒが含まれる。ＣＰＵ６１は、これらのキーからの入力信号の有無に基づいて、編集用キーの入力の有無を判断する。編集用キーの入力があった場合（Ｓ１：ＹＥＳ）、ＣＰＵ６１は、文章データ入力処理（Ｓ２）に処理を移行する。一方、編集用キーの入力がなかった場合（Ｓ１：ＮＯ）、ＣＰＵ６１は、Ｓ３に処理を移行する。
【００３８】
Ｓ２に移行すると、ＣＰＵ６１は、文章データ入力処理を実行する。文章データ入力処理（Ｓ２）では、ＣＰＵ６１は、入力されたキーに基づいて、文章データを生成・編集する。この文章データ入力処理（Ｓ２）は、既に公知の処理であるため、詳細な説明は省略する。文章データ入力処理（Ｓ２）終了後、ＣＰＵ６１は、Ｓ１に処理を戻す。
【００３９】
そして、Ｓ３においては、ＣＰＵ６１は、印刷キー３Ｂが入力されたか否かについての判断を行う。具体的には、ＣＰＵ６１は、印刷キー３Ｂからの入力信号の有無に基づいて、Ｓ３の判断を行う。印刷キー３Ｂが入力された場合（Ｓ３：ＹＥＳ）、ＣＰＵ６１は、イメージデータ作成処理（Ｓ４）に処理を移行する。一方、印刷キー３Ｂの入力がなかった場合（Ｓ３：ＮＯ）、ＣＰＵ６１は、Ｓ６に処理を移行する。
【００４０】
Ｓ４では、ＣＰＵ６１は、イメージデータ作成処理を実行する。このイメージデータ作成処理（Ｓ４）では、ＣＰＵ６１は、ＣＧ−ＲＯＭ６２に格納されているドットパターンを参照し、ＲＡＭ６６に格納されている印刷データを、ドット単位のデータ（即ち、後述する印刷単位データ８１、非印刷単位データ８２）で構成されるイメージデータに変換する。これにより、印刷データは、サーマルヘッド１３に列設された１ライン分の発熱素子１３ａで印刷されるライン印刷データ単位に分類可能な状態となる。イメージデータ作成処理（Ｓ４）終了後、ＣＰＵ６１は、Ｓ５に処理を移行する。
【００４１】
続くＳ５においては、ＣＰＵ６１は、印刷処理を実行する。この印刷処理（Ｓ５）において、ＣＰＵ６１は、後述する印刷処理プログラムを実行することで、イメージデータ作成処理（Ｓ４）を経た印刷データの印刷を行う。印刷処理（Ｓ５）の詳細については、後に図面を参照しつつ説明するので、ここでの説明は省略する。印刷処理（Ｓ５）終了後、ＣＰＵ６１は、Ｓ１に処理を戻す。
【００４２】
そして、Ｓ６では、ＣＰＵ６１は、その他の処理を実行する。その他の処理（Ｓ６）においては、印刷データの作成に係る処理（即ち、Ｓ２）及び、印刷データの印刷に係る処理（Ｓ４、Ｓ５）を除く処理を実行する。例えば、その他の処理（Ｓ６）においては、ＣＰＵ６１は、テープ印刷装置１における各種ユーザ設定等の設定処理等を実行する。その他の処理（Ｓ６）を終了すると、ＣＰＵ６１は、Ｓ１に処理を戻す。
【００４３】
続いて、メイン処理プログラムのＳ５で実行される印刷処理プログラムについて、図面を参照しつつ詳細に説明する。図７は、印刷処理プログラムのフローチャートである。
印刷処理（Ｓ５）に移行し、印刷処理プログラムの実行を開始すると、ＣＰＵ６１は、先ず、ＲＡＭ６６に格納されている印刷データから、一のライン印刷データを対象ライン印刷データ８０とし、当該対象ライン印刷データ８０をＲＡＭ６６から読み出す（Ｓ１１）。対象ライン印刷データ８０をＲＡＭ６６から読み出した後、ＣＰＵ６１は、Ｓ１２に処理を移行する。
【００４４】
Ｓ１２においては、ＣＰＵ６１は、当該対象ライン印刷データ８０を分割したブロック印刷データの個数を決定する。即ち、ＣＰＵ６１は、当該対象ライン印刷データ８０に係る印刷を何回に分割して実行するかを決定する。このブロック印刷データの個数（以下、分割数という）は、対象ライン印刷データ８０における印刷単位データ８１、非印刷単位データ８２の構成態様により決定される。尚、テープ印刷装置１においては、分割数の最大値は、「５」である。この分割数の決定に関する処理は、既に公知の処理であるので、詳細な説明は省略する。対象ライン印刷データ８０における分割数を決定した後、ＣＰＵ６１は、Ｓ１３に処理を移行する。
【００４５】
Ｓ１３に移行すると、ＣＰＵ６１は、ＲＡＭ６６に格納されている対象ライン印刷データ８０の分割数を参照し、分割数が３分割以上であるか否かを判断する。対象ライン印刷データ８０の分割数が３分割以上である場合（Ｓ１３：ＹＥＳ）、ＣＰＵ６１は、Ｓ１６に処理を移行する。一方、対象ライン印刷データ８０の分割数が２分割以下である場合（Ｓ１３：ＮＯ）、ＣＰＵ６１は、Ｓ１４に処理を移行する。
【００４６】
Ｓ１４に移行すると、ＣＰＵ６１は、当該対象ライン印刷データ８０をサーマルヘッド１３に転送する。その後、ＣＰＵ６１は、通電処理（Ｓ１５）を実行する。この通電処理（Ｓ１５）では、ＣＰＵ６１は、対象ライン印刷データ８０を２分割以下の分割数に応じて分割したブロック印刷データに基づいて、サーマルヘッド１３の発熱素子１３ａを対応するブロック毎に順次通電する。これにより、対象ライン印刷データ８０に基づく印刷が、表層テープ３１に施される。尚、この通電処理（Ｓ１５）については、後に図面を参照して詳細に説明する。通電処理（Ｓ１５）を終了すると、ＣＰＵ６１は、Ｓ２１に処理を移行する。
【００４７】
対象ライン印刷データ８０の分割数が３分割以上である場合（Ｓ１３：ＹＥＳ）、ＣＰＵ６１は、先ず、データ分割処理（Ｓ１６）に処理を移行する。このデータ分割処理（Ｓ１６）では、ＣＰＵ６１は、データ分割処理プログラム（図９、図１０等参照）を実行し、対象ライン印刷データ８０に基づいて、第１分割ライン印刷データ９１、第２分割ライン印刷データ９２を生成する。このデータ分割処理（Ｓ１６）の詳細については、後に図面を参照しつつ詳細に説明するので、ここでの説明は省略する。データ分割処理（Ｓ１６）を終了すると、ＣＰＵ６１は、Ｓ１７に処理を移行する。
【００４８】
Ｓ１７に移行すると、ＣＰＵ６１は、データ分割処理（Ｓ１６）で生成された分割ライン印刷データ（例えば、第１分割ライン印刷データ９１）をサーマルヘッド１３に転送する。その後、ＣＰＵ６１は、静音通電処理（Ｓ１８）を実行する。この静音通電処理（Ｓ１８）においては、ＣＰＵ６１は、後述する静音通電処理プログラムを実行し、サーマルヘッド１３に転送された分割ライン印刷データに基づく印刷を表層テープ３１に施す。静音通電処理（Ｓ１８）の詳細については後述する。静音通電処理（Ｓ１８）終了後、ＣＰＵ６１は、Ｓ１９に処理を移行する。
【００４９】
Ｓ１９では、ＣＰＵ６１は、対象ライン印刷データ８０に基づいて生成された全ての分割ライン印刷データ（例えば、第１分割ライン印刷データ９１、第２分割ライン印刷データ９２）の印刷を完了したか否かを判断する。全ての分割ライン印刷データの印刷を終了している場合（Ｓ１９：ＹＥＳ）、ＣＰＵ６１は、Ｓ２１に処理を移行する。一方、未だ全ての分割ライン印刷データの印刷を終了していない場合（Ｓ１９：ＮＯ）、ＣＰＵ６１は、処理対象を次の分割ライン印刷データ（例えば、第２分割ライン印刷データ）に変更し（Ｓ２０）、Ｓ１７に処理を戻す。
【００５０】
そして、Ｓ２１に移行すると、ＣＰＵ６１は、印刷データを構成する全てのライン印刷データの印刷を終了したか否かを判断する。即ち、ＣＰＵ６１は、表層テープ３１に対する印刷データに基づく印刷を完了したか否かを判断する。全てのライン印刷データの印刷を終了している場合（Ｓ２１：ＹＥＳ）、ＣＰＵ６１は、印刷処理プログラムを終了する。一方、未だ全てのライン印刷データの印刷を終了していない場合には（Ｓ２１：ＮＯ）、ＣＰＵ６１は、処理対象を次のライン印刷データに変更し（Ｓ２２）、Ｓ１１へ処理を戻す。
【００５１】
次に、印刷処理プログラムのＳ１５で実行される通電処理プログラムについて、図面を参照しつつ詳細に説明する。図８は、テープ印刷装置１における通電処理プログラムのフローチャートである。上述したように、この通電処理プログラムは、対象ライン印刷データ８０の分割数が２分割以下の場合に実行されるプログラムである。
通電処理（Ｓ１５）に移行し、通電処理プログラムの実行を開始すると、ＣＰＵ６１は、先ず、標準通電期間Ｔを取得する。標準通電期間Ｔは、対象ライン印刷データ８０を構成する一のブロック印刷データに基づいて、当該ブロック印刷データに対応する発熱素子１３ａに対する通電を行う期間である。標準通電期間Ｔを取得した後、ＣＰＵ６１は、Ｓ３２に処理を移行する。
【００５２】
Ｓ３２に移行すると、ＣＰＵ６１は、対象となるブロック印刷データを印刷する際に通電する発熱素子１３ａを示す通電ストローブ番号を取得する。上述したように、各発熱素子１３ａには、ストローブ番号が対応付けられており（図１３参照）、ライン印刷データ及びブロック印刷データを構成する印刷単位データ８１、非印刷単位データ８２は、各発熱素子１３ａと対応している。従って、ＣＰＵ６１は、対象ライン印刷データ８０を構成するブロック印刷データを参照し、当該ブロック印刷データにおける印刷単位データ８１を特定することで、通電すべき発熱素子１３ａのストローブ番号（即ち、通電ストローブ番号）を取得できる。処理対象であるブロック印刷データにおける通電ストローブ番号を取得した後、ＣＰＵ６１は、Ｓ３３に処理を移行する。
【００５３】
Ｓ３３では、ＣＰＵ６１は、Ｓ３２で取得した通電ストローブ番号に対応する発熱素子１３ａに対する通電を開始する。この発熱素子１３ａに対する通電開始と同時に、ＣＰＵ６１は、タイマ６７による計時を開始する。発熱素子１３ａに対する通電を開始した後、ＣＰＵ６１は、Ｓ３４に処理を移行する。
【００５４】
Ｓ３４に移行すると、ＣＰＵ６１は、タイマ６７を参照し、標準通電期間Ｔを経過したか否かを判断する。標準通電期間Ｔを経過するまで、ＣＰＵ６１は、発熱素子１３ａに対する通電を継続する（Ｓ３４：ＮＯ、Ｓ３３）。標準通電期間Ｔを経過すると（Ｓ３４：ＹＥＳ）、ＣＰＵ６１は、当該ブロック印刷データに基づく発熱素子１３ａの通電を終了する（Ｓ３５）。当該ブロック印刷データに基づく通電を終了した後、ＣＰＵ６１は、Ｓ３６に処理を移行する。
【００５５】
Ｓ３６においては、ＣＰＵ６１は、一のライン印刷データに基づく印刷を終了したか否かを判断する。即ち、ＣＰＵ６１は、処理対象であるライン印刷データを構成する全てのブロック印刷データの印刷を完了しているか否かを判断する。一のライン印刷データに基づく印刷を終了している場合（Ｓ３６：ＹＥＳ）、ＣＰＵ６１は、通電処理プログラムを終了し、印刷処理プログラムのＳ２１に処理を移行する。一方、未だ一のライン印刷データに基づく印刷を終了していない場合、即ち、当該ライン印刷データにおいて、未だ印刷を完了していないブロック印刷データが存在する場合（Ｓ３６：ＮＯ）、ＣＰＵ６１は、処理対象を次のブロック印刷データに変更し（Ｓ３７）、Ｓ３２に処理を戻す。
【００５６】
続いて、印刷処理プログラムのＳ１６で実行されるデータ分割処理プログラムについて、図面を参照しつつ詳細に説明する。図９は、第１実施形態に係るテープ印刷装置１のデータ分割処理プログラムのフローチャートである。そして、図１０は、第１実施形態に係るデータ分割処理（Ｓ１６）に関する説明図である。
【００５７】
データ分割処理（Ｓ１６）に移行し、データ分割処理プログラムの実行を開始すると、ＣＰＵ６１は、先ず、対象ライン印刷データ８０を読み出し、２つの分割基準データを生成する（Ｓ４１）。ここで、分割基準データとは、当該対象ライン印刷データ８０と同一内容（即ち、印刷単位データ８１、非印刷単位データ８２の配置態様が同一）を示すライン印刷データであり、後述する分割ライン印刷データを生成するうえで基準となるデータである。ここで、生成された２つの分割基準データの内、一方を第１分割基準データといい、他方を第２分割基準データという。
【００５８】
対象ライン印刷データ８０に基づいて、第１分割基準データ、第２分割基準データを生成すると、ＣＰＵ６１は、第１分割基準データに基づいて、第１分割ライン印刷データ９１を生成する（Ｓ４２）。
具体的には、ＣＰＵ６１は、先ず、第１分割基準データを、５つのブロック印刷データに分割する。上述したように、サーマルヘッド１３は、２０個の発熱素子１３ａを列設して構成されているので、対象ライン印刷データ８０、第１分割基準データは、２０個の単位データ（即ち、印刷単位データ８１又は非印刷単位データ８２）により構成されている（図１０参照）。従って、第１分割基準データを５つのブロック印刷データに分割すると、各ブロック印刷データは、連続する４つの単位データで構成されるデータとなる。
【００５９】
即ち、第１分割基準データは、第１ブロック印刷データ８５ａ〜第５ブロック印刷データ８５ｅに分割される。図１０、図１３に示すように、第１ブロック印刷データ８５ａは、ストローブ番号「１〜４」に係る発熱素子１３ａで構成される第１ブロック１８ａに対応する部分の対象ライン印刷データ８０で構成されるブロック印刷データである。そして、第２ブロック印刷データ８５ｂは、ストローブ番号「５〜８」に係る発熱素子１３ａで構成される第２ブロック１８ｂに対応する部分の対象ライン印刷データ８０で構成されるブロック印刷データである。又、第３ブロック印刷データ８５ｃは、ストローブ番号「９〜１２」に係る発熱素子１３ａで構成される第３ブロック１８ｃに対応する部分の対象ライン印刷データ８０で構成されるブロック印刷データである。そして、第４ブロック印刷データ８５ｄは、ストローブ番号「１３〜１６」に係る発熱素子１３ａで構成される第４ブロック１８ｄに対応する部分の対象ライン印刷データ８０で構成されるブロック印刷データである。更に、第５ブロック印刷データ８５ｅは、ストローブ番号「１７〜２０」に係る発熱素子１３ａで構成される第５ブロック１８ｅに対応する対象ライン印刷データ８０で構成されるブロック印刷データである。
【００６０】
第１分割基準データを第１ブロック印刷データ８５ａ〜第５ブロック印刷データ８５ｅに分割した後、ＣＰＵ６１は、各ブロック印刷データを構成する単位データを前半データ、後半データに分類する。ここで、前半データは、当該ブロック印刷データに対応するサーマルヘッド１３のブロックを構成する４つの発熱素子１３ａの内、ストローブ番号の小さい方から２つのストローブ番号が関連付けられている発熱素子１３ａに対応する単位データである。一方、後半データは、当該ブロック印刷データに対応するサーマルヘッド１３のブロックを構成する４つの発熱素子１３ａの内、ストローブ番号の大きいほうから２つのストローブ番号が関連付けられている発熱素子１３ａに対応する単位データである。
【００６１】
例えば、第２ブロック印刷データ８５ｂの場合、前半データは、第２ブロック印刷データ８５ｂを構成する単位データの内、ストローブ番号「５」、「６」に対応する発熱素子１３ａに関連付けられている単位データである。そして、この場合における後半データは、第２ブロック印刷データ８５ｂを構成する単位データの内、ストローブ番号「７」、「８」に対応する発熱素子１３ａに関連付けられている単位データである。
ＣＰＵ６１は、このようにして、第１分割基準データを構成する第１ブロック印刷データ８５ａ〜第５ブロック印刷データ８５ｅについて、それぞれ前半データ、後半データを特定する。
【００６２】
その後、ＣＰＵ６１は、第１分割基準データを構成する各ブロック印刷データに関し、各ブロック印刷データの後半データに相当する単位データを、非印刷単位データ８２に変換する。この非印刷単位データ８２への変換は、対象である単位データが印刷単位データ８１であるか非印刷単位データ８２であるかに関わらず行われる（図１０参照）。尚、ここで変換された非印刷単位データ８２を、変換済非印刷データ８３という。図１０に示すように、第１分割基準データを構成する各ブロック印刷データにおける後半データを全て変換済非印刷データ８３に変換することにより、ＣＰＵ６１は、第１分割基準データから第１分割ライン印刷データ９１を生成する。第１分割ライン印刷データ９１を生成した後、ＣＰＵ６１は、Ｓ４３に処理を移行する。
【００６３】
Ｓ４３に移行すると、ＣＰＵ６１は、第２分割基準データに基づいて、第２分割ライン印刷データ９２を生成する。このＳ４３では、ＣＰＵ６１は、先ず、Ｓ４２と同様に、第２分割基準データを第１ブロック印刷データ８５ａ〜第５ブロック印刷データ８５ｅに分割する。そして、ＣＰＵ６１は、上述したＳ４２と同様に、第２分割基準データに係る第１ブロック印刷データ８５ａ〜第５ブロック印刷データ８５ｅを構成する単位データを、前半データ、後半データに分類する。その後、ＣＰＵ６１は、第２分割基準データを構成する各ブロック印刷データに関し、各ブロック印刷データの前半データに相当する単位データを、非印刷単位データ８２に変換する（図１０参照）。
【００６４】
図１０に示すように、第２分割基準データを構成する各ブロック印刷データにおける前半データを全て変換済非印刷データ８３に変換することにより、ＣＰＵ６１は、第２分割基準データから第２分割ライン印刷データ９２を生成する。第２分割ライン印刷データ９２を生成した後、ＣＰＵ６１は、データ分割処理プログラムを終了する。
【００６５】
次に、印刷処理プログラムのＳ１８で実行される静音通電処理プログラムについて、図面を参照しつつ詳細に説明する。図１１は、テープ印刷装置１に係る静音通電処理プログラムのフローチャートである。
尚、この静音通電処理プログラムは、対象ライン印刷データ８０に基づいてデータ分割処理（Ｓ１６）で生成された分割ライン印刷データ（例えば、第１分割ライン印刷データ９１、第２分割ライン印刷データ９２）単位で、発熱素子１３ａに対する通電制御を行うためのプログラムである。
【００６６】
静音通電処理（Ｓ１８）に移行し、静音通電処理プログラムの実行を開始すると、ＣＰＵ６１は、先ず、標準通電期間Ｔを取得する（Ｓ５１）。この点については、通電処理プログラムにおけるＳ３１と同様である。標準通電期間Ｔを取得した後、ＣＰＵ６１は、Ｓ５２に処理を移行する。
【００６７】
Ｓ５２に移行すると、ＣＰＵ６１は、取得した標準通電期間Ｔの１／２の値を算出し、算出した値を単位通電期間ｔとして設定する。この単位通電期間ｔは、静音通電処理プログラムにおけるサーマルヘッド１３に対する通電制御の基準となる期間である。単位通電期間ｔを設定した後、ＣＰＵ６１は、Ｓ５３に処理を移行する。
【００６８】
Ｓ５３においては、ＣＰＵ６１は、静音通電処理プログラムの対象である分割ライン印刷データにおける対象ブロックの通電ストローブ番号を取得する。ここで、対象ブロックとは、直後の単位通電期間ｔで通電すべきサーマルヘッド１３のブロックをいう。
例えば、第１ブロック１８ａが対象ブロックである場合、ＣＰＵ６１は、第１ブロック１８ａに対応する第１ブロック印刷データ８５ａを参照し、第１ブロック１８ａにおける通電ストローブ番号を取得する。対象ブロックの通電ストローブ番号を取得した後、ＣＰＵ６１は、Ｓ５４に処理を移行する。
【００６９】
続くＳ５４に移行すると、ＣＰＵ６１は、Ｓ５３で取得した通電ストローブ番号に基づいて、対象ブロックを構成する発熱素子１３ａに対する通電を開始する。この時、ＣＰＵ６１は、同時にタイマ６７による計時を開始する。発熱素子１３ａに対する通電及びタイマ６７による計時を開始すると、ＣＰＵ６１は、Ｓ５５に処理を移行する。
【００７０】
Ｓ５５においては、ＣＰＵ６１は、タイマ６７を参照し、単位通電期間ｔを経過したか否かを判断する。単位通電期間ｔを経過するまでは、ＣＰＵ６１は、対象ブロックに係る通電ストローブ番号に基づく通電を継続する（Ｓ５５：ＮＯ、Ｓ５４）。単位通電期間ｔを経過すると（Ｓ５５：ＹＥＳ）、ＣＰＵ６１は、当該対象ブロックを構成する発熱素子１３ａに対する通電を一旦終了し（Ｓ５６）、Ｓ５７に処理を移行する。
【００７１】
Ｓ５７では、ＣＰＵ６１は、静音通電処理の処理対象である分割ライン印刷データを構成する全てのブロック印刷データの印刷を完了したか否かを判断する。具体的には、ＣＰＵ６１は、当該分割ライン印刷データの第５ブロック印刷データ８５ｅの印刷を終了したか否かを判断する。換言すれば、このＳ５７では、ＣＰＵ６１は、第１分割ライン印刷データ９１又は第２分割ライン印刷データ９２に基づく印刷を完了したか否かを判断する。
全ブロック印刷データの印刷を完了している場合（Ｓ５７：ＹＥＳ）、ＣＰＵ６１は、静音通電処理プログラムを終了し、印刷処理プログラムのＳ１９に処理を移行する。一方、未だ全ブロック印刷データの印刷を完了していない場合（Ｓ５７：ＮＯ）、ＣＰＵ６１は、Ｓ５８に処理を移行する。
【００７２】
続くＳ５８に移行すると、ＣＰＵ６１は、二次対象ブロックの通電ストローブ番号を取得する。ここで、二次対象ブロックとは、上述した対象ブロックへの通電に次いで通電されるべきブロックである。例えば、上述した第１ブロック１８ａが対象ブロックに相当する場合、第２ブロック１８ｂが、二次対象ブロックに該当する。そして、Ｓ５８においては、ＣＰＵ６１は、Ｓ５３と同様に、二次対象ブロックに対応するブロック印刷データを参照することで、二次対象ブロックの通電ストローブ番号を取得する。二次対象ブロックの通電ストローブ番号を取得した後、ＣＰＵ６１は、Ｓ５９に処理を移行する。
【００７３】
そして、Ｓ５９においては、ＣＰＵ６１は、Ｓ５３で取得した対象ブロックに係る通電ストローブ番号と、Ｓ５８で取得した二次対象ブロックに係る通電ストローブ番号に基づいて、対象ブロック及び二次対象ブロックを構成する発熱素子１３ａに対する通電を開始する。この時、Ｓ５４と同様に、ＣＰＵ６１は、タイマ６７による単位通電期間ｔの計時を開始する。発熱素子１３ａに対する通電及びタイマ６７の計時を開始した後、ＣＰＵ６１は、Ｓ６０に処理を移行する。
【００７４】
Ｓ６０では、ＣＰＵ６１は、タイマ６７を参照し、単位通電期間ｔを経過したか否かを判断する。単位通電期間ｔを経過するまでは、ＣＰＵ６１は、対象ブロック、二次対象ブロックに係る通電ストローブ番号に基づく通電を継続する（Ｓ６０：ＮＯ、Ｓ５９）。単位通電期間ｔを経過すると（Ｓ６０：ＹＥＳ）、ＣＰＵ６１は、対象ブロック及び二次対象ブロックを構成する発熱素子１３ａに対する通電を一旦終了し（Ｓ６１）、Ｓ６２に処理を移行する。
【００７５】
その後、Ｓ６２では、ＣＰＵ６１は、現時点における二次対象ブロックを、その後の処理における対象ブロックとして設定する。この設定変更の後、ＣＰＵ６１は、Ｓ５７に処理を戻す。
【００７６】
ここで、上記静音通電処理プログラムに基づく通電制御について、図面を参照しつつ、詳細に説明する。
対象ライン印刷データ８０を印刷する際には、第１分割ライン印刷データ９１に基づく印刷と、第２分割ライン印刷データ９２に基づく印刷が行われる。つまり、対象ライン印刷データの印刷を行う際には、ＣＰＵ６１は、先ず、第１分割ライン印刷データ９１を対象として、静音通電処理プログラムを実行し、その後、第２分割ライン印刷データ９２を対象として、静音通電処理プログラムを実行する。
【００７７】
図１２に示すように、第１分割ライン印刷データ９１を対象とする静音通電処理プログラムの実行が開始されると、ＣＰＵ６１は、先ず、最初の単位通電期間ｔにおいては、第１分割ライン印刷データ９１の第１ブロック印刷データ８５ａに基づいて、第１ブロック１８ａに対する通電を行う（Ｓ５３〜Ｓ５６）。
この最初の単位通電期間ｔを終了すると、ＣＰＵ６１は、次の単位通電期間ｔにおいて、第１ブロック印刷データ８５ａに基づく第１ブロック１８ａに対する通電を実行しつつ、第２ブロック印刷データ８５ｂに基づく第２ブロック１８ｂに対する通電を実行する（Ｓ５８〜Ｓ６１）。
【００７８】
この単位通電期間ｔを経過した時点で、ＣＰＵ６１は、第１分割ライン印刷データ９１の第１ブロック印刷データ８５ａに基づく印刷を完了する。ここで、Ｓ６２において、ＣＰＵ６１は、第２ブロック１８ｂを対象ブロックに設定する。これにより、第３ブロック１８ｃが二次対象ブロックとなる。
その後、ＣＰＵ６１は、更に次の単位通電期間ｔにおいて、第２ブロック印刷データ８５ｂに基づく第２ブロック１８ｂに対する通電を実行しつつ、第３ブロック印刷データ８５ｃに基づく第３ブロック１８ｃに対する通電を実行する（Ｓ５８〜Ｓ６１）。
【００７９】
このようにして、ＣＰＵ６１は、単位通電期間ｔを経過する毎に、対象ブロックと二次対象ブロックを順次変更しつつ、第３ブロック印刷データ８５ｃに基づく第３ブロック１８ｃへの通電、第４ブロック印刷データ８５ｄに基づく第４ブロック１８ｄへの通電、第５ブロック印刷データ８５ｅに基づく第５ブロック１８ｅへの通電を行う。第５ブロック印刷データ８５ｅに基づく印刷を終了すると（Ｓ５７：ＹＥＳ）、ＣＰＵ６１は、第１分割ライン印刷データ９１を対象とする静音通電処理プログラムの実行を終了する。
尚、図１２に示すように、第５ブロック１８ｅが対象ブロックに該当する場合に、Ｓ５８〜Ｓ６１の処理においては、ＣＰＵ６１は、第５ブロック印刷データ８５ｅに基づく第５ブロック印刷データ８５ｅのみを行う。
【００８０】
そして、第１分割ライン印刷データ９１を対象とする静音通電処理（Ｓ１８）を終了すると、ＣＰＵ６１は、第２分割ライン印刷データ９２を対象とし（Ｓ１９：ＮＯ、Ｓ２０）、静音通電処理（Ｓ１８）を実行する。
この第２分割ライン印刷データ９２を対象とする静音通電処理（Ｓ１８）においても、ＣＰＵ６１は、図１２に示すように、上述した第１分割ライン印刷データ９１を対象とする静音通電処理（Ｓ１８）と同様の処理を実行する。従って、この第２分割ライン印刷データ９２を対象とする静音通電処理（Ｓ１８）に関する通電制御についての説明は省略する。
【００８１】
ここで、第１分割ライン印刷データ９１の各ブロック印刷データにおいては、後半データが変換済非印刷データ８３に変換されている。従って、図１３に示すように、第１分割ライン印刷データ９１を対象とする静音通電処理（Ｓ１８）では、各ブロックを構成する４つの発熱素子１３ａの内、最も多くの発熱素子１３ａが通電されたとしても、前半データに相当する２つの発熱素子１３ａに限定される。
又、第２分割ライン印刷データ９２の各ブロック印刷データにおいては、前半データが変換済非印刷データ８３に変換される。従って、第２分割ライン印刷データ９２を対象とする静音通電処理（Ｓ１８）では、各ブロックを構成する４つの発熱素子１３ａの内、最も多くの発熱素子１３ａが通電されたとしても、後半データに相当する２つの発熱素子１３ａに限定される。
【００８２】
従って、第１実施形態に係るテープ印刷装置１によれば、発熱素子１３ａに対する通電により、サーマルヘッド１３と表層テープ３１が密着する範囲は、前半データ又は後半データに相当する２つ分の発熱素子１３ａで加熱される範囲（即ち、２ドット分の範囲）となる。この結果、印刷により密着する範囲を小さくすることができるので、当該テープ印刷装置１は、印刷時に生じる印刷音（即ち、剥離音）を低減しうる。
又、当該テープ印刷装置１によれば、第１分割ライン印刷データ９１と、第２分割ライン印刷データ９２について、各分割ライン印刷データを構成する全ブロック印刷データを順次印刷するので、対象ライン印刷データ８０とほぼ同じ印刷結果となる。
【００８３】
そして、当該テープ印刷装置１は、静音通電処理プログラムに基づいて、第１分割ライン印刷データ９１、第２分割ライン印刷データ９２に基づく通電を行う際に、対象ブロック（例えば、第１ブロック１８ａ）に対する標準通電期間Ｔを経過する前に、二次対象ブロック（例えば、第２ブロック１８ｂ）に対する通電を開始する（図１３参照）。より具体的には、対象ブロックに対する単位通電期間ｔを経過した時点で、対象ブロックに対する通電と共に、二次対象ブロックに対する通電を実行する。これにより、テープ印刷装置１によれば、第１分割ライン印刷データ９１、第２分割ライン印刷データ９２を生成した場合であっても、対象ライン印刷データ８０に基づく印刷に要する期間の長期化を軽減しうる。
【００８４】
（第２実施形態）
次に、上述した第１実施形態とは異なる実施形態（第２実施形態）に係るテープ印刷装置１ついて、図面を参照しつつ詳細に説明する。この第２実施形態に係るテープ印刷装置１は、上述した第１実施形態に係るテープ印刷装置１と基本的に同様の構成である。具体的には、第２実施形態に係るテープ印刷装置１は、第１実施形態に係るテープ印刷装置１と、データ分割処理プログラムの内容が相違している。
【００８５】
従って、この第２実施形態においては、第１実施形態と相違するデータ分割処理プログラムの内容について詳細に説明する。図１４は、第２実施形態に係るデータ分割処理プログラムのフローチャートである。図１５は、第２実施形態に係るデータ分割処理（Ｓ１６）に関する説明図である。
第２実施形態に係るテープ印刷装置１において、データ分割処理（Ｓ１６）に移行し、データ分割処理プログラムの実行を開始すると、ＣＰＵ６１は、先ず、対象ライン印刷データ８０を参照し、２つの分割基準データ（即ち、第１分割基準データ、第２分割基準データ）を生成する（Ｓ７１）。このＳ７１の処理は、第１実施形態におけるＳ４１と同様の処理であるため、その詳細な説明は省略する。
【００８６】
Ｓ７２に移行すると、ＣＰＵ６１は、Ｓ７１で生成された第１分割基準データに基づいて、第１分割ライン印刷データ９１を生成する。具体的には、このＳ７２において、ＣＰＵ６１は、先ず、第１分割基準データを、第１ブロック印刷データ８５ａ〜第５ブロック印刷データ８５ｅに分割する。この点については、第１実施形態と同様の処理であり、既に説明しているので、詳細な説明を省略する。
【００８７】
第１分割基準データを５つのブロック印刷データに分割した後、ＣＰＵ６１は、各ブロック印刷データを構成する単位データから、第１変換対象データを特定する。ここで、第１変換対象データとは、第１分割基準データから第１分割ライン印刷データ９１を生成する際に、非印刷単位データ８２（即ち、変換済非印刷データ８３）に変換される単位データをいう。
そして、Ｓ７２における第１変換対象データは、ブロック印刷データに対応するサーマルヘッド１３のブロックを構成する４つの発熱素子１３ａの内、偶数を示すストローブ番号が関連付けられている発熱素子１３ａに対応する単位データである。
例えば、第２ブロック印刷データ８５ｂの場合、第１変換対象データは、第２ブロック印刷データ８５ｂを構成する単位データの内、ストローブ番号「６」、「８」に対応する発熱素子１３ａに関連付けられている単位データである。
このようにして、ＣＰＵ６１は、第１分割基準データを構成する各ブロック印刷データにおいて、第１変換対象データを特定する。
【００８８】
その後、ＣＰＵ６１は、第１分割基準データを構成する各ブロック印刷データに関し、各ブロック印刷データにおける第１変換対象データに相当する単位データを、非印刷単位データ８２に変換する。図１５に示すように、第１分割基準データを構成する各ブロック印刷データにおける第１変換対象データを全て変換済非印刷データ８３に変換することにより、ＣＰＵ６１は、第１分割基準データから第１分割ライン印刷データ９１を生成する。
こうして生成された第１分割ライン印刷データ９１において、偶数のストローブ番号が関連付けられている発熱素子１３ａに対応する単位データは、全て変換済非印刷データ８３となる（図１５参照）。第１分割ライン印刷データ９１を生成した後、ＣＰＵ６１は、Ｓ７３に処理を移行する。
【００８９】
Ｓ７３に移行すると、ＣＰＵ６１は、第２分割基準データに基づいて、第２分割ライン印刷データ９２を生成する。このＳ７３では、ＣＰＵ６１は、先ず、Ｓ７２と同様に、第２分割基準データを第１ブロック印刷データ８５ａ〜第５ブロック印刷データ８５ｅに分割する。
そして、ＣＰＵ６１は、第２分割基準データに係る第１ブロック印刷データ８５ａ〜第５ブロック印刷データ８５ｅを構成する単位データから、第２変換対象データを特定する。ここで、第２変換対象データとは、第２分割基準データから第２分割ライン印刷データ９２を生成する際に、非印刷単位データ８２（即ち、変換済非印刷データ８３）に変換される単位データをいう。
又、このＳ７３における第２変換対象データは、当該ブロック印刷データに対応するサーマルヘッド１３のブロックを構成する４つの発熱素子１３ａの内、奇数を示すストローブ番号が関連付けられている発熱素子１３ａに対応する単位データである。
例えば、第２ブロック印刷データ８５ｂの場合、第２変換対象データは、第２ブロック印刷データ８５ｂを構成する単位データの内、ストローブ番号「５」、「７」に対応する発熱素子１３ａに関連付けられている単位データである。
このようにして、ＣＰＵ６１は、第２分割基準データを構成する各ブロック印刷データにおいて、第２変換対象データを特定する。
【００９０】
その後、ＣＰＵ６１は、第２分割基準データを構成する各ブロック印刷データに関し、各ブロック印刷データの第２変換対象データに相当する単位データを、非印刷単位データ８２（即ち、変換済非印刷データ８３）に変換する。これにより、ＣＰＵ６１は、第２分割基準データから、第２分割ライン印刷データ９２（図１５参照）を生成しうる。こうして生成された第２分割ライン印刷データ９２において、奇数のストローブ番号が関連付けられている発熱素子１３ａに対応する単位データは、全て変換済非印刷データ８３となる（図１５参照）。第２分割ライン印刷データ９２を生成した後、ＣＰＵ６１は、データ分割処理プログラムを終了する。
【００９１】
この第２実施形態においては、上記データ分割処理プログラム（図１４参照）に基づいて生成された第１分割ライン印刷データ９１、第２分割ライン印刷データ９２は、静音通電処理（Ｓ１８）における発熱素子１３ａへの通電の際に用いられる。
【００９２】
上述したように、第２実施形態に係る第１分割ライン印刷データ９１の各ブロック印刷データにおいては、偶数を示すストローブ番号が関連付けられている発熱素子１３ａに対応する第１変換対象データが変換済非印刷データ８３に変換されている（図１５参照）。
従って、図１６に示すように、第１分割ライン印刷データ９１を対象とする静音通電処理（Ｓ１８）では、各ブロックを構成する４つの発熱素子１３ａの内、最も多くの発熱素子１３ａが通電されたとしても、奇数のストローブ番号に対応する２つの発熱素子１３ａに限定される。
又、第２分割ライン印刷データ９２の各ブロック印刷データにおいては、奇数を示すストローブ番号が関連付けられている発熱素子１３ａに対応する第２変換対象データが変換済非印刷データ８３に変換される（図１５参照）。従って、第２分割ライン印刷データ９２を対象とする静音通電処理（Ｓ１８）では、各ブロックを構成する４つの発熱素子１３ａの内、最も多くの発熱素子１３ａが通電されたとしても、偶数のストローブ番号に対応する２つの発熱素子１３ａに限定される（図１６参照）。
【００９３】
即ち、第２実施形態においては、第１分割ライン印刷データ９１、第２分割ライン印刷データ９２の何れであっても、通電対象となり得る２つの発熱素子１３ａ（例えば、ストローブ番号「５」、「７」に対応する発熱素子１３ａ）の間に、変換済非印刷データ８３に対応し、通電されることのない一の発熱素子１３ａが存在する（図１５、図１６参照）。
従って、第２実施形態に係るテープ印刷装置１によれば、発熱素子１３ａに対する通電により、サーマルヘッド１３と表層テープ３１が密着する範囲は、一の発熱素子１３ａで加熱される範囲（即ち、１ドット分の範囲）となる。この結果、印刷により密着する範囲を印刷における最小単位にまで小さくすることができるので、当該テープ印刷装置１は、印刷時に生じる印刷音（即ち、剥離音）を低減しうる。
【００９４】
そして、第２実施形態において、第１分割ライン印刷データ９１と、第２分割ライン印刷データ９２は、同一の対象ライン印刷データ８０に基づいて生成されている。又、第１分割ライン印刷データ９１と第２分割ライン印刷データ９２の間には相互補完関係が成立する。ここで、当該テープ印刷装置１によれば、第１分割ライン印刷データ９１と、第２分割ライン印刷データ９２について、各分割ライン印刷データを構成する全ブロック印刷データを順次印刷するので、印刷結果が、対象ライン印刷データ８０と大きく異なる印刷結果となることはない。
【００９５】
更に、第２実施形態における静音通電処理（Ｓ１８）では、ＣＰＵ６１は、第１実施形態に係る静音通電処理プログラム（図１１参照）を実行する。つまり、第２実施形態においても、静音通電処理（Ｓ１８）における発熱素子１３ａに対する通電期間の制御は、第１実施形態と同様である（図１２参照）。従って、第２実施形態に係るテープ印刷装置１においても、ＣＰＵ６１は、第１実施形態と同様に、対象ブロック（例えば、第１ブロック１８ａ）に対する標準通電期間Ｔを経過する前に、二次対象ブロック（例えば、第２ブロック１８ｂ）に対する通電を開始する（図１３参照）。これにより、テープ印刷装置１によれば、第１分割ライン印刷データ９１、第２分割ライン印刷データ９２を生成した場合であっても、対象ライン印刷データ８０に基づく印刷に要する期間の長期化を軽減しうる。
【００９６】
（第３実施形態）
続いて、上述の第１実施形態、第２実施形態と異なる実施形態（第３実施形態）に係るテープ印刷装置１について、図面を参照しつつ詳細に説明する。この第３実施形態に係るテープ印刷装置１は、上述した第１実施形態、第２実施形態に係るテープ印刷装置１と基本的に同様の構成である。具体的には、第３実施形態に係るテープ印刷装置１は、第１実施形態、第２実施形態に係るテープ印刷装置１と、データ分割処理プログラム及び静音通電処理プログラムの内容が相違している。従って、この第３実施形態においては、第１実施形態、第２実施形態と相違するデータ分割処理プログラム及び静音通電処理プログラムの内容について詳細に説明する。
【００９７】
先ず、第３実施形態に係るデータ分割プログラムの内容について、図面を参照しつつ詳細に説明する。図１７は、第３実施形態に係るデータ分割処理プログラムのフローチャートである。図１８は、第３実施形態に係るデータ分割処理（Ｓ１６）に関する説明図である。
第３実施形態に係るテープ印刷装置１において、データ分割処理（Ｓ１６）に移行し、データ分割処理プログラムの実行を開始すると、ＣＰＵ６１は、先ず、対象ライン印刷データ８０を参照し、４つの分割基準データ（即ち、第１分割基準データ、第２分割基準データ、第３分割基準データ、第４分割基準データ）を生成する（Ｓ８１）。第１分割基準データ〜第４分割基準データを生成すると、ＣＰＵ６１は、Ｓ８２に処理を移行する。
尚、第１実施形態、第２実施形態と同様に、第１分割基準データ〜第４分割基準データは、対象ライン印刷データ８０と同一内容のデータである。
【００９８】
Ｓ８２に移行すると、ＣＰＵ６１は、Ｓ８１で生成された第１分割基準データに基づいて、第１分割ライン印刷データを生成する。具体的には、ＣＰＵ６１は、先ず、第１分割基準データを、第１ブロック印刷データ８５ａ〜第５ブロック印刷データ８５ｅに分割する。この点については、第１実施形態、第２実施形態と同様であるため、詳細な説明を省略する。
【００９９】
その後、ＣＰＵ６１は、第１分割基準データを構成する各ブロック印刷データの単位データから、第１変換対象外データを特定する。ここで、第１変換対象外データとは、第１分割基準データから第１分割ライン印刷データ９１を生成する際に、非印刷単位データ８２（即ち、変換済非印刷データ８３）に変換されることのない一の単位データである。第３実施形態における第１変換対象外データは、ストローブ番号を４で除算した場合に余りが１となるストローブ番号（例えば、ストローブ番号「１」「５」「９」「１３」「１７」）に係る発熱素子１３ａに対応付けられている単位データである。
【０１００】
各ブロック印刷データにおける第１変換対象外データを特定した後、ＣＰＵ６１は、第１変換対象データを特定し、当該第１変換対象データを非印刷単位データ８２（即ち、変換済非印刷データ８３）に変換する。このＳ８２における第１変換対象データは、各ブロック印刷データを構成する単位データの内、上記第１変換対象外データを除く単位データである。例えば、第２ブロック印刷データ８５ｂの場合、上述したように、ストローブ番号「５」の発熱素子１３ａに対応する単位データが第１変換対象外データとなるので、第１変換対象データは、ストローブ番号「６」「７」「８」に係る発熱素子１３ａに対応する３つの単位データとなる。
第１分割基準データの各ブロック印刷データにおいて、第１変換対象データを変換済非印刷データ８３に変換することで、ＣＰＵ６１は、第１分割ライン印刷データ９１を生成する（図１８参照）。第１分割ライン印刷データ９１を生成した後、ＣＰＵ６１は、Ｓ８３に処理を移行する。
【０１０１】
Ｓ８３に移行すると、ＣＰＵ６１は、第２分割基準データに基づいて、第２分割ライン印刷データ９２を生成する。このＳ８３では、ＣＰＵ６１は、先ず、Ｓ８２と同様に、第２分割基準データを第１ブロック印刷データ８５ａ〜第５ブロック印刷データ８５ｅに分割する。
そして、ＣＰＵ６１は、第２分割基準データに係る第１ブロック印刷データ８５ａ〜第５ブロック印刷データ８５ｅを構成する単位データから、第２変換対象外データを特定する。ここで、第２変換対象データとは、第２分割基準データから第２分割ライン印刷データ９２を生成する際に、非印刷単位データ８２（即ち、変換済非印刷データ８３）に変換されることのない一の単位データである。第３実施形態における第２変換対象外データは、ストローブ番号を４で除算した場合に余りが２となるストローブ番号（例えば、ストローブ番号「２」「６」「１０」「１４」「１８」）に係る発熱素子１３ａに対応付けられている単位データである。
このようにして、ＣＰＵ６１は、第２分割基準データを構成する各ブロック印刷データにおいて、第２変換対象外データを特定する。
【０１０２】
各ブロック印刷データにおける第２変換対象外データを特定した後、ＣＰＵ６１は、第２変換対象データを特定し、当該第２変換対象データを非印刷単位データ８２（即ち、変換済非印刷データ８３）に変換する。このＳ８３における第２変換対象データは、各ブロック印刷データを構成する単位データの内、上記第２変換対象外データを除く単位データである。例えば、第２ブロック印刷データ８５ｂの場合、上述したように、ストローブ番号「６」の発熱素子１３ａに対応する単位データが第２変換対象外データとなるので、第２変換対象データは、ストローブ番号「５」「７」「８」に係る発熱素子１３ａに対応する３つの単位データとなる。
第２分割基準データの各ブロック印刷データにおいて、第２変換対象データを変換済非印刷データ８３に変換することで、ＣＰＵ６１は、第２分割ライン印刷データ９２を生成する（図１８参照）。第２分割ライン印刷データ９２を生成した後、ＣＰＵ６１は、Ｓ８４に処理を移行する。
【０１０３】
Ｓ８４に移行すると、ＣＰＵ６１は、第３分割基準データに基づいて、第３分割ライン印刷データ９３を生成する。このＳ８４では、ＣＰＵ６１は、先ず、Ｓ８２、Ｓ８３と同様に、第３分割基準データを第１ブロック印刷データ８５ａ〜第５ブロック印刷データ８５ｅに分割する。
そして、ＣＰＵ６１は、第２分割基準データに係る第１ブロック印刷データ８５ａ〜第５ブロック印刷データ８５ｅを構成する単位データから、第３変換対象外データを特定する。ここで、第３変換対象データとは、第３分割基準データから第３分割ライン印刷データ９３を生成する際に、非印刷単位データ８２（即ち、変換済非印刷データ８３）に変換されることのない一の単位データである。第３実施形態における第３変換対象外データは、ストローブ番号を４で除算した場合に余りが３となるストローブ番号（例えば、ストローブ番号「３」「７」「１１」「１５」「１９」）に係る発熱素子１３ａに対応付けられている単位データである。
このようにして、ＣＰＵ６１は、第３分割基準データを構成する各ブロック印刷データにおいて、第３変換対象外データを特定する。
【０１０４】
各ブロック印刷データにおける第３変換対象外データを特定した後、ＣＰＵ６１は、第３変換対象データを特定し、当該第３変換対象データを非印刷単位データ８２（即ち、変換済非印刷データ８３）に変換する。このＳ８４における第３変換対象データは、各ブロック印刷データを構成する単位データの内、上記第３変換対象外データを除く単位データである。例えば、第２ブロック印刷データ８５ｂの場合、上述したように、ストローブ番号「７」の発熱素子１３ａに対応する単位データが第３変換対象外データとなるので、第３変換対象データは、ストローブ番号「５」「６」「８」に係る発熱素子１３ａに対応する３つの単位データとなる。
第３分割基準データの各ブロック印刷データにおいて、第３変換対象データを変換済非印刷データ８３に変換することで、ＣＰＵ６１は、第３分割ライン印刷データ９３を生成する（図１８参照）。第３分割ライン印刷データ９３を生成した後、ＣＰＵ６１は、Ｓ８５に処理を移行する。
【０１０５】
Ｓ８５に移行すると、ＣＰＵ６１は、第４分割基準データに基づいて、第４分割ライン印刷データ９４を生成する。このＳ８５では、ＣＰＵ６１は、先ず、Ｓ８２〜Ｓ８４と同様に、第４分割基準データを第１ブロック印刷データ８５ａ〜第５ブロック印刷データ８５ｅに分割する。
そして、ＣＰＵ６１は、第４分割基準データに係る第１ブロック印刷データ８５ａ〜第５ブロック印刷データ８５ｅを構成する単位データから、第４変換対象外データを特定する。ここで、第４変換対象データとは、第４分割基準データから第４分割ライン印刷データ９４を生成する際に、非印刷単位データ８２（即ち、変換済非印刷データ８３）に変換されることのない一の単位データである。第３実施形態における第４変換対象外データは、ストローブ番号を４で除算した場合に余りが０となるストローブ番号（例えば、ストローブ番号「４」「８」「１２」「１６」「２０」）に係る発熱素子１３ａに対応付けられている単位データである。
このようにして、ＣＰＵ６１は、第４分割基準データを構成する各ブロック印刷データにおいて、第４変換対象外データを特定する。
【０１０６】
各ブロック印刷データにおける第４変換対象外データを特定した後、ＣＰＵ６１は、第４変換対象データを特定し、当該第４変換対象データを非印刷単位データ８２（即ち、変換済非印刷データ８３）に変換する。このＳ８５における第４変換対象データは、各ブロック印刷データを構成する単位データの内、上記第４変換対象外データを除く単位データである。例えば、第２ブロック印刷データ８５ｂの場合、上述したように、ストローブ番号「８」の発熱素子１３ａに対応する単位データが第４変換対象外データとなるので、第４変換対象データは、ストローブ番号「５」「６」「７」に係る発熱素子１３ａに対応する３つの単位データとなる。
第４分割基準データの各ブロック印刷データにおいて、第４変換対象データを変換済非印刷データ８３に変換することで、ＣＰＵ６１は、第４分割ライン印刷データ９４を生成する（図１８参照）。第４分割ライン印刷データ９４を生成した後、ＣＰＵ６１は、データ分割処理プログラムを終了する。
【０１０７】
次に、第３実施形態における静音通電処理プログラムについて、図面を参照しつつ詳細に説明する。図１９、図２０は、第３実施形態に係る静音通電処理プログラムのフローチャートである。
第３実施形態に係るテープ印刷装置１において、静音通電処理（Ｓ１８）に移行し、静音通電処理プログラムの実行を開始すると、ＣＰＵ６１は、先ず、標準通電期間Ｔを取得する（Ｓ９１）。この点については、第１実施形態、第２実施形態におけるＳ５１と同様の処理である。標準通電期間Ｔを取得した後、ＣＰＵ６１は、Ｓ９２に処理を移行する。
【０１０８】
Ｓ９２に移行すると、ＣＰＵ６１は、取得した標準通電期間Ｔに基づいて、単位通電期間ｔを算出し、算出した単位通電期間ｔを設定する。ここで、第３実施形態においては、第１実施形態、第２実施形態と異なり、ＣＰＵ６１は、標準通電期間Ｔの１／４の値を単位通電期間ｔとして設定する。従って、第３実施形態における静音通電処理プログラムでは、標準通電期間Ｔの１／４の期間を基準として、サーマルヘッド１３に対する通電制御が行われる。単位通電期間ｔを設定した後、ＣＰＵ６１は、Ｓ９３に処理を移行する。
【０１０９】
ここで、第３実施形態に係る静音通電処理プログラムにおけるＳ９３〜Ｓ１０１の処理は、第１実施形態、第２実施形態に係る静音通電処理プログラムにおけるＳ５３〜Ｓ６１と略同様の処理である。即ち、第３実施形態に係るＳ９３〜Ｓ１０１においては、上述した単位通電期間ｔの相違を除き、Ｓ５３〜Ｓ６１と同じ処理を行う。従って、既に第１実施形態においてＳ５３〜Ｓ６１について説明しているので、Ｓ９３〜Ｓ１０１の処理内容に関する詳細な説明は省略する。
【０１１０】
尚、第３実施形態においては、第１実施形態等と異なり、単位通電期間ｔは、標準通電期間Ｔの１／４に相当する期間である。従って、Ｓ１０１終了時において、対象ブロックに対する通電に基づく印刷は完了しておらず、対象ブロック及び二次対象ブロックに対する通電は、Ｓ１０２以後の処理において継続される。
【０１１１】
図２０に示すように、Ｓ１０２に移行すると、ＣＰＵ６１は、三次対象ブロックの通電ストローブ番号を取得する。ここで、三次対象ブロックとは、上述した二次対象ブロックに次いで通電されるべきブロックである。例えば、上述した第１ブロック１８ａが対象ブロックに相当する場合、第２ブロック１８ｂが二次対象ブロックに該当する。従って、この場合、第３ブロック１８ｃが三次対象ブロックに該当する。そして、Ｓ１０２においては、ＣＰＵ６１は、三次対象ブロックに対応するブロック印刷データを参照することで、三次対象ブロックの通電ストローブ番号を取得する。三次対象ブロックの通電ストローブ番号を取得した後、ＣＰＵ６１は、Ｓ１０３に処理を移行する。
【０１１２】
Ｓ１０３に移行すると、ＣＰＵ６１は、対象ブロック、二次対象ブロック、三次対象ブロックに対する通電を開始する。ここで、ＣＰＵ６１は、Ｓ９３で対象ブロックの通電ストローブ番号を取得しており、Ｓ９８で二次対象ブロックの通電ストローブ番号を取得している。又、上述したＳ１０２において、ＣＰＵ６１は、三次対象ブロックの通電ストローブ番号を取得している。従って、ＣＰＵ６１は、対象ブロック、二次対象ブロック、三次対象ブロックに対する通電を、夫々の通電ストローブ番号に基づいて開始しうる。この時、ＣＰＵ６１は、各ブロックに対する通電の開始と同時に、タイマ６７による単位通電期間ｔの計時を開始する。発熱素子１３ａに対する通電及びタイマ６７の計時を開始した後、ＣＰＵ６１は、Ｓ１０４に処理を移行する。
【０１１３】
Ｓ１０４においては、ＣＰＵ６１は、タイマ６７を参照し、単位通電期間ｔを経過したか否かを判断する。単位通電期間ｔを経過するまでは、ＣＰＵ６１は、対象ブロック、二次対象ブロック、三次対象ブロックに対し、夫々の通電ストローブ番号に基づく通電を継続する（Ｓ１０４：ＮＯ、Ｓ１０３）。単位通電期間ｔを経過すると（Ｓ１０４：ＹＥＳ）、ＣＰＵ６１は、対象ブロック、二次対象ブロック、三次対象ブロックを構成する発熱素子１３ａに対する通電を一旦終了し（Ｓ１０５）、Ｓ１０６に処理を移行する。
【０１１４】
尚、図２１に示すように、このＳ１０５の終了時においても、対象ブロックに対する通電に基づく印刷は完了しておらず、対象ブロック、二次対象ブロック、三次対象ブロックに対する通電は、Ｓ１０６以後の処理により継続される。
【０１１５】
Ｓ１０６に移行すると、ＣＰＵ６１は、四次対象ブロックの通電ストローブ番号を取得する。ここで、四次対象ブロックとは、上述した三次対象ブロックに次いで通電されるべきブロックである。例えば、上述した第１ブロック１８ａが対象ブロックに相当する場合、第２ブロック１８ｂが二次対象ブロック、第３ブロック１８ｃが三次対象ブロックに該当する。従って、この場合、第４ブロック１８ｄが四次対象ブロックに該当する。そして、Ｓ１０６においては、ＣＰＵ６１は、四次対象ブロックに対応するブロック印刷データを参照することで、四次対象ブロックの通電ストローブ番号を取得する。四次対象ブロックの通電ストローブ番号を取得した後、ＣＰＵ６１は、Ｓ１０７に処理を移行する。
【０１１６】
Ｓ１０７に移行すると、ＣＰＵ６１は、対象ブロック、二次対象ブロック、三次対象ブロック、四次対象ブロックに対する通電を開始する。ここで、ＣＰＵ６１は、Ｓ９３で対象ブロックの通電ストローブ番号を取得しており、Ｓ９８で二次対象ブロックの通電ストローブ番号を取得している。又、上述したＳ１０２において、ＣＰＵ６１は、三次対象ブロックの通電ストローブ番号を取得し、Ｓ１０６により、四次対象ブロックの通電ストローブ番号を取得している。従って、ＣＰＵ６１は、対象ブロック、二次対象ブロック、三次対象ブロック、四次対象ブロックに対する通電を、夫々の通電ストローブ番号に基づいて開始しうる。この時、ＣＰＵ６１は、各ブロックに対する通電の開始と同時に、タイマ６７による単位通電期間ｔの計時を開始する。発熱素子１３ａに対する通電及びタイマ６７の計時を開始した後、ＣＰＵ６１は、Ｓ１０８に処理を移行する。
【０１１７】
Ｓ１０８においては、ＣＰＵ６１は、タイマ６７を参照し、単位通電期間ｔを経過したか否かを判断する。単位通電期間ｔを経過するまでは、ＣＰＵ６１は、対象ブロック、二次対象ブロック、三次対象ブロック、四次対象ブロックに対し、夫々の通電ストローブ番号に基づく通電を継続する（Ｓ１０８：ＮＯ、Ｓ１０７）。単位通電期間ｔを経過すると（Ｓ１０８：ＹＥＳ）、ＣＰＵ６１は、対象ブロック、二次対象ブロック、三次対象ブロック、四次対象ブロックを構成する発熱素子１３ａに対する通電を一旦終了し（Ｓ１０９）、Ｓ１１０に処理を移行する。
【０１１８】
このＳ１０９を終了した時点で、対象ブロックに対する通電は完了する。即ち、静音通電処理プログラムにおける処理対象である分割ライン印刷データに関し、対象ブロックに対応するブロック印刷データに基づく印刷が、表層テープ３１上に施される。この点、二次対象ブロック、三次対象ブロック、四次対象ブロックに対する通電は、未だ完了しておらず、各ブロックに対応するブロック印刷データに基づく印刷も未だ完了していない。
【０１１９】
その後、Ｓ１１０では、ＣＰＵ６１は、現時点における二次対象ブロックを、その後の処理における対象ブロックとして設定する。対象ブロックの設定変更の後、ＣＰＵ６１は、Ｓ９７に処理を戻す。上述の具体例の場合、当該設定変更により、第２ブロック１８ｂが対象ブロックとなる。
【０１２０】
そして、Ｓ９７に処理を戻すと、ＣＰＵ６１は、静音通電処理の処理対象である分割ライン印刷データを構成する全てのブロック印刷データの印刷を完了したか否かを判断する。具体的には、ＣＰＵ６１は、当該分割ライン印刷データの第５ブロック印刷データ８５ｅの印刷を終了したか否かを判断する。換言すれば、このＳ９７では、ＣＰＵ６１は、第１分割ライン印刷データ９１又は第２分割ライン印刷データ９２に基づく印刷を完了したか否かを判断する。
全ブロック印刷データの印刷を完了している場合（Ｓ９７：ＹＥＳ）、ＣＰＵ６１は、静音通電処理プログラムを終了し、印刷処理プログラムのＳ１９に処理を移行する。一方、未だ全ブロック印刷データの印刷を完了していない場合（Ｓ９７：ＮＯ）、ＣＰＵ６１は、Ｓ９８に処理を移行する。
【０１２１】
Ｓ９８に移行すると、ＣＰＵ６１は、上述のＳ９８〜Ｓ１１０に係る処理を実行する。ここで、Ｓ１１０において、対象ブロックの設定変更が行われているので、二次対象ブロック、三次対象ブロック、四次対象ブロックに該当するブロックも変更される。例えば、Ｓ１１０において、対象ブロックが第１ブロック１８ａから第２ブロックに変更された場合、第３ブロック１８ｃが二次対象ブロックとなり、第４ブロック１８ｄが三次対象ブロックとなる。そして、第５ブロック１８ｅが四次対象ブロックとなる。
【０１２２】
尚、図２１に示すように、既にブロック印刷データに基づく印刷を完了したブロックについては、ＣＰＵ６１は、二次対象ブロック、三次対象ブロック、四次対象ブロックに該当しないものとして取り扱う。従って、この場合には、二次対象ブロック、三次対象ブロック、四次対象ブロックに係る処理（例えば、通電ストローブ番号の取得や通電処理）を省略することができる。
【０１２３】
ここで、上記静音通電処理プログラムに基づく通電制御について、図面を参照しつつ、詳細に説明する。
第３実施形態に係るテープ印刷装置１において、対象ライン印刷データ８０を印刷する際には、ＣＰＵ６１は、先ず、第１分割ライン印刷データ９１を対象として、静音通電処理プログラムを実行し、次いで、第２分割ライン印刷データ９２を対象として、静音通電処理プログラムを実行する。その後、第３分割ライン印刷データ９３、第４分割ライン印刷データ９４の順に、対象を変更しつつ、順次静音通電処理プログラムを実行する。
【０１２４】
図２１に示すように、第１分割ライン印刷データ９１を対象とする静音通電処理プログラムの実行が開始されると、ＣＰＵ６１は、先ず、最初の単位通電期間ｔにおいては、第１分割ライン印刷データ９１の第１ブロック印刷データ８５ａに基づいて、第１ブロック１８ａに対する通電を行う（Ｓ９３〜Ｓ９６）。
この最初の単位通電期間ｔを終了すると、ＣＰＵ６１は、次の単位通電期間ｔにおいて、第１ブロック印刷データ８５ａに基づく第１ブロック１８ａに対する通電を実行しつつ、第２ブロック印刷データ８５ｂに基づく第２ブロック１８ｂに対する通電を実行する（Ｓ９８〜Ｓ１０１）。
【０１２５】
そして、図２１に示すように、静音通電処理の開始から３番目の単位通電期間ｔでは、ＣＰＵ６１は、第１ブロック印刷データ８５ａに基づく第１ブロック１８ａに対する通電、第２ブロック印刷データ８５ｂに基づく第２ブロック１８ｂに対する通電を行いつつ、第３ブロック印刷データ８５ｃに基づく第３ブロック１８ｃに対する通電を実行する（Ｓ１０２〜Ｓ１０５）。
更に、静音通電処理の開始から４番目の単位通電期間ｔでは、ＣＰＵ６１は、第１ブロック印刷データ８５ａに基づく第１ブロック１８ａに対する通電、第２ブロック印刷データ８５ｂに基づく第２ブロック１８ｂに対する通電、第３ブロック印刷データ８５ｃに基づく第３ブロック１８ｃに対する通電を行いつつ、第４ブロック印刷データ８５ｄに基づく第４ブロック１８ｄに対する通電を行う（Ｓ１０６〜Ｓ１０９）。
【０１２６】
この４番目の単位通電期間ｔを経過した時点で、ＣＰＵ６１は、第１分割ライン印刷データ９１の第１ブロック印刷データ８５ａに基づく印刷を完了する。ここで、Ｓ１１０において、ＣＰＵ６１は、第２ブロック１８ｂを対象ブロックに設定する。これにより、第３ブロック１８ｃが二次対象ブロックとなり、第４ブロック１８ｄが三次対象ブロックとなる。又、第５ブロック１８ｅは、四次対象ブロックに該当する。
その後、ＣＰＵ６１は、更に次の単位通電期間ｔにおいて、第２ブロック印刷データ８５ｂに基づく第２ブロック１８ｂに対する通電、第３ブロック印刷データ８５ｃに基づく第３ブロック１８ｃに対する通電、第４ブロック印刷データ８５ｄに基づく第４ブロック１８ｄに対する通電、第５ブロック印刷データ８５ｅに基づく第５ブロック１８ｅに対する通電を実行する（Ｓ９８〜Ｓ１１０）。
【０１２７】
このようにして、ＣＰＵ６１は、単位通電期間ｔを経過する毎に、対象ブロック、二次対象ブロック、三次対象ブロック、四次対象ブロックを順次変更しつつ、第３ブロック印刷データ８５ｃに基づく第３ブロック１８ｃへの通電、第４ブロック印刷データ８５ｄに基づく第４ブロック１８ｄへの通電、第５ブロック印刷データ８５ｅに基づく第５ブロック１８ｅへの通電を行う。第５ブロック印刷データ８５ｅに基づく印刷を終了すると（Ｓ９７：ＹＥＳ）、ＣＰＵ６１は、第１分割ライン印刷データ９１を対象とする静音通電処理プログラムの実行を終了する。
【０１２８】
そして、第１分割ライン印刷データ９１を対象とする静音通電処理（Ｓ１８）を終了すると、ＣＰＵ６１は、第２分割ライン印刷データ９２を対象とし（Ｓ１９：ＮＯ、Ｓ２０）、静音通電処理（Ｓ１８）を実行する。又、ＣＰＵ６１は、第２分割ライン印刷データ９２に係る静音通電処理（Ｓ１８）を終了すると、第３分割ライン印刷データ９３を対象として（Ｓ１９：ＮＯ、Ｓ２０）、静音通電処理（Ｓ１８）を実行する。同様に、第３分割ライン印刷データ９３に係る静音通電処理（Ｓ１８）の後は、ＣＰＵ６１は、第４分割ライン印刷データ９４に係る静音通電処理を実行する。
図２１に示すように、これらの静音通電処理（Ｓ１８）においても、ＣＰＵ６１は、上述した第１分割ライン印刷データ９１を対象とする静音通電処理（Ｓ１８）と同様の処理を実行する。従って、この第２分割ライン印刷データ９２、第３分割ライン印刷データ９３、第４分割ライン印刷データ９４を対象とする静音通電処理（Ｓ１８）に関する通電制御についての説明は省略する。
【０１２９】
ここで、第１分割ライン印刷データ９１の各ブロック印刷データにおいては、ストローブ番号「１」「５」「９」「１３」「１７」が関連付けられている発熱素子１３ａに対応する第１変換対象外データを除く単位データが変換済非印刷データ８３に変換されている（図１８、図２０参照）。従って、図２２に示すように、第１分割ライン印刷データ９１を対象とする静音通電処理（Ｓ１８）では、各ブロックを構成する４つの発熱素子１３ａの内、最も多くの発熱素子１３ａが通電されたとしても、当該ストローブ番号に対応する一の発熱素子１３ａに限定される。
【０１３０】
又、第２分割ライン印刷データ９２の各ブロック印刷データにおいては、ストローブ番号「２」「６」「１０」「１４」「１８」が関連付けられている発熱素子１３ａに対応する第２変換対象外データを除く単位データが変換済非印刷データ８３に変換されている（図１８、図２０参照）。そして、第３分割ライン印刷データ９３の各ブロック印刷データにおいては、ストローブ番号「３」「７」「１１」「１５」「１９」が関連付けられている発熱素子１３ａに対応する第３変換対象外データを除く単位データが変換済非印刷データ８３に変換されている（図１８、図２０参照）。更に、第４分割ライン印刷データ９４の各ブロック印刷データにおいては、ストローブ番号「４」「８」「１２」「１６」「２０」が関連付けられている発熱素子１３ａに対応する第４変換対象外データを除く単位データが変換済非印刷データ８３に変換されている（図１８、図２０参照）。
【０１３１】
つまり、図２２に示すように、第２分割ライン印刷データ９２、第３分割ライン印刷データ９３、第４分割ライン印刷データ９４を対象とする静音通電処理（Ｓ１８）においても、各ブロックを構成する４つの発熱素子１３ａの内、最も多くの発熱素子１３ａが通電されたとしても、上述した各ストローブ番号に対応する一の発熱素子１３ａに限定される。
即ち、第３実施形態においては、第１分割ライン印刷データ９１〜第４分割ライン印刷データ９４の何れであっても、通電対象となり得る２つの発熱素子１３ａ（例えば、ストローブ番号「１」、「５」に対応する発熱素子１３ａ）の間に、変換済非印刷データ８３に対応し、通電されることのない３つの発熱素子１３ａ（例えば、ストローブ番号「２」「３」「４」）が存在する（図１８、図２２参照）。
【０１３２】
この結果、第３実施形態に係るテープ印刷装置１によれば、発熱素子１３ａに対する通電により、サーマルヘッド１３と表層テープ３１が密着する範囲は、一の発熱素子１３ａで加熱される範囲（即ち、１ドット分の範囲）となる。この結果、印刷により密着する範囲を印刷における最小単位にまで小さくすることができるので、当該テープ印刷装置１は、印刷時に生じる印刷音（即ち、剥離音）を低減しうる。又、印刷により密着する範囲の間には、十分な間隔（即ち、変換済非印刷データ８３に対応する３ドット分の間隔）が確保されるので、当該テープ印刷装置１は、印刷により密着する範囲を、確実に印刷における最小単位にすることできる。即ち、テープ印刷装置１は、確実に印刷音（即ち、剥離音）を低減することができる。
【０１３３】
そして、第３実施形態において、第１分割ライン印刷データ９１〜第４分割ライン印刷データ９４は、同一の対象ライン印刷データ８０に基づいて生成されている。又、第１分割ライン印刷データ９１〜第４分割ライン印刷データ９４には、対象ライン印刷データ８０を構成する全ての単位データが含まれている（図１８参照）。の間には相互補完関係が成立する。ここで、当該テープ印刷装置１によれば、第１分割ライン印刷データ９１〜第４分割ライン印刷データ９４について、各分割ライン印刷データを構成する全ブロック印刷データを順次印刷するので、印刷結果が、対象ライン印刷データ８０とほぼ同じ印刷結果となる。
【０１３４】
更に、第３実施形態における静音通電処理（Ｓ１８）では、ＣＰＵ６１は、静音通電処理プログラム（図１９、図２０参照）を実行する。即ち、第３実施形態における静音通電処理（Ｓ１８）では、ＣＰＵ６１は、対象ブロック（例えば、第１ブロック１８ａ）に対する標準通電期間Ｔを経過する前に、二次対象ブロック（例えば、第２ブロック１８ｂ）、三次対象ブロック（例えば、第３ブロック１８ｃ）、四次対象ブロック（例えば、第４ブロック１８ｄ）に対する通電を開始する（図２１参照）。これにより、テープ印刷装置１によれば、第１分割ライン印刷データ９１、第２分割ライン印刷データ９２を生成した場合であっても、対象ライン印刷データ８０に基づく印刷に要する期間の長期化を軽減しうる。
【０１３５】
尚、本発明は前記実施例に限定されることはなく、本発明の要旨を逸脱しない範囲内で種々の改良、変形が可能であることは勿論である。例えば、各実施形態においては、理解を容易にするため、サーマルヘッド１３を構成する発熱素子１３ａを２０個として説明したが、この態様に限定するものではない。即ち、より多数の発熱素子１３ａを用いて、サーマルヘッド１３を構成することも可能である。
【図面の簡単な説明】
【０１３６】
【図１】テープ印刷装置の外観斜視図である。
【図２】テープ駆動印刷機構及びテープ収納カセットに関する説明図である。
【図３】テープ駆動印刷機構の構成に関する側面図である。
【図４】テープ印刷装置のサーマルヘッドの構成に関する説明図である。
【図５】テープ印刷装置の制御系を示すブロック図である。
【図６】テープ印刷装置に係るメイン処理プログラムのフローチャートである。
【図７】テープ印刷装置に係る印刷処理プログラムのフローチャートである。
【図８】テープ印刷装置に係る通電処理プログラムのフローチャートである。
【図９】第１実施形態におけるデータ分割処理プログラムのフローチャートである。
【図１０】第１実施形態におけるデータ分割処理に関する説明図である。
【図１１】第１実施形態における静音通電処理プログラムのフローチャートである。
【図１２】第１実施形態における静音通電処理に基づく通電制御に関する説明図である。
【図１３】第１実施形態における静音通電処理による印刷に関する説明図である。
【図１４】第２実施形態のデータ分割処理プログラムのフローチャートである。
【図１５】第２実施形態におけるデータ分割処理に関する説明図である。
【図１６】第２実施形態における静音通電処理による印刷に関する説明図である。
【図１７】第３実施形態のデータ分割処理プログラムのフローチャートである。
【図１８】第３実施形態におけるデータ分割処理に関する説明図である。
【図１９】第３実施形態における静音通電処理プログラムのフローチャート（１）である。
【図２０】第３実施形態における静音通電処理プログラムのフローチャート（２）である。
【図２１】第３実施形態における静音通電処理に基づく通電制御に関する説明図である。
【図２２】第３実施形態における静音通電処理による印刷に関する説明図である。
【符号の説明】
【０１３７】
１  テープ印刷装置
２  テープ搬送モータ
１３  サーマルヘッド
１３ａ  発熱素子
３０  テープ収納カセット
３１  表層テープ
６０  制御部
６１  ＣＰＵ
６２  ＣＧ−ＲＯＭ
６３  ＥＥＰＲＯＭ
６４  ＲＯＭ
６６  ＲＡＭ
６８  ヘッド駆動回路
７０  搬送モータ駆動回路
【図１】
2009073130.tif 000003
【図２】
2009073130.tif 000004
【図３】
2009073130.tif 000005
【図４】
2009073130.tif 000006
【図５】
2009073130.tif 000007
【図６】
2009073130.tif 000008
【図７】
2009073130.tif 000009
【図８】
2009073130.tif 000010
【図９】
2009073130.tif 000011
【図１０】
2009073130.tif 000012
【図１１】
2009073130.tif 000013
【図１２】
2009073130.tif 000014
【図１３】
2009073130.tif 000015
【図１４】
2009073130.tif 000016
【図１５】
2009073130.tif 000017
【図１６】
2009073130.tif 000018
【図１７】
2009073130.tif 000019
【図１８】
2009073130.tif 000020
【図１９】
2009073130.tif 000021
【図２０】
2009073130.tif 000022
【図２１】
2009073130.tif 000023
【図２２】
2009073130.tif 000024